(57)【特許請求の範囲】
【請求項１】
ワイヤレス通信デバイスであって、
第１のタイミング信号を受信するための入力を含み、前記第１のタイミング信号の周波数を第１のキャリア周波数に低減することによって第１の局部発振器（ＬＯ）信号を生成するための第１の周波数分周器を含む、第１のトランシーバチェーンと、
前記第１のタイミング信号と第２のタイミング信号とを受信するための入力を含む第２のトランシーバチェーンと
を備え、前記第２のトランシーバチェーンは、
前記第１のタイミング信号の前記周波数を前記第１のキャリア周波数に低減することによって第２のＬＯ信号を生成するための第２の周波数分周器と、
前記第２のタイミング信号の周波数を第２のキャリア周波数に低減することによって第３のＬＯ信号を生成するための第３の周波数分周器と、
前記ワイヤレス通信デバイスの動作モードを示すモード選択信号に少なくとも部分的に基づいて、前記第２のトランシーバチェーンを介してワイヤレス信号を送信するための前記第２のＬＯ信号または前記第３のＬＯ信号のいずれかを選択するための第１のマルチプレクサと
をさらに含む、ワイヤレス通信デバイス。
【請求項２】
少なくとも前記第１の周波数分周器および前記第２の周波数分周器は、連続的にアクティブのままであり、前記動作モードとは無関係に、前記第１のＬＯ信号と前記第２のＬＯ信号との間の一定の位相関係を維持すべきである、
請求項１に記載のワイヤレス通信デバイス。
【請求項３】
前記第１のマルチプレクサは、前記モード選択信号が８０ＭＨｚチャネル帯域幅モードを示すことに基づいて、前記第２のＬＯ信号を選択すべきであり、前記第１のマルチプレクサは、前記モード選択信号が８０＋８０ＭＨｚチャネル帯域幅モードを示すことに基づいて、前記第３のＬＯ信号を選択すべきである、
請求項１に記載のワイヤレス通信デバイス。
【請求項４】
第３のタイミング信号を受信するための入力を含み、前記第３のタイミング信号の周波数を前記第１のキャリア周波数に低減することによって第４のＬＯ信号を生成するための第４の周波数分周器を含む、第３のトランシーバチェーンと、
前記第３のタイミング信号と第４のタイミング信号とを受信するための入力を含む第４のトランシーバチェーンと
をさらに備え、前記第４のトランシーバチェーンは、
前記第３のタイミング信号の前記周波数を前記第１のキャリア周波数に低減することによって第５のＬＯ信号を生成するための第５の周波数分周器と、
前記第４のタイミング信号の周波数を前記第２のキャリア周波数に低減することによって第６のＬＯ信号を生成するための第６の周波数分周器と、
前記モード選択信号に少なくとも部分的に基づいて、前記第４のトランシーバチェーンを介してワイヤレス信号を送信するための前記第５のＬＯ信号または前記第６のＬＯ信号のいずれかを選択するための第２のマルチプレクサと
をさらに含む、請求項１に記載のワイヤレス通信デバイス。
【請求項５】
前記第１の周波数分周器、前記第２の周波数分周器、前記第４の周波数分周器、および前記第５の周波数分周器は、連続的にアクティブのままであり、前記動作モードとは無関係に、前記第１のＬＯ信号と前記第２のＬＯ信号と前記第４のＬＯ信号と第５のＬＯ信号との間の一定の位相関係を維持すべきである、
請求項４に記載のワイヤレス通信デバイス。
【請求項６】
前記第３の周波数分周器および前記第６の周波数分周器は、連続的にアクティブのままであり、前記動作モードとは無関係に、前記第３のＬＯ信号と前記第６のＬＯ信号との間の一定の位相関係を維持すべきである、
請求項４に記載のワイヤレス通信デバイス。
【請求項７】
前記第１のタイミング信号を生成するための、第１のチップ上に設けられた第１の周波数シンセサイザと、
前記第２のタイミング信号を生成するための、前記第１のチップ上に設けられた第２の周波数シンセサイザと、
前記第３のタイミング信号を生成するための、第２のチップ上に設けられた第３の周波数シンセサイザと、
前記第４のタイミング信号を生成するための、前記第２のチップ上に設けられた第４の周波数シンセサイザと
をさらに備える、請求項４に記載のワイヤレス通信デバイス。
【請求項８】
前記第１の周波数シンセサイザは、前記第３の周波数シンセサイザとの一定の位相関係を維持すべきであり、前記第２の周波数シンセサイザは、前記第４の周波数シンセサイザとの一定の位相関係を維持すべきである、
請求項７に記載のワイヤレス通信デバイス。
【請求項９】
前記第１の周波数シンセサイザ、前記第２の周波数シンセサイザ、前記第３の周波数シンセサイザ、および前記第４の周波数シンセサイザの各々は、共通基準クロック信号に位相がロックされる、
請求項７に記載のワイヤレス通信デバイス。
【請求項１０】
前記第２のトランシーバチェーンは、
前記第１のタイミング信号の前記周波数を前記第１のキャリア周波数に低減することによって第４のＬＯ信号を生成するための第４の周波数分周器と、
前記第２のタイミング信号の周波数を前記第２のキャリア周波数に低減することによって第５のＬＯ信号を生成するための第５の周波数分周器と、
前記モード選択信号に少なくとも部分的に基づいて、前記第２のトランシーバチェーンを介してワイヤレス信号を受信するための前記第４のＬＯ信号または前記第５のＬＯ信号のいずれかを選択するための第２のマルチプレクサと
をさらに含む、請求項１に記載のワイヤレス通信デバイス。
【請求項１１】
位相同期局部発振器（ＬＯ）信号を生成する方法であって、前記方法は、
第１のタイミング信号の周波数を第１のキャリア周波数に低減することによってワイヤレス通信デバイスの第１のトランシーバチェーンにおける第１の永続的ＬＯ信号を生成することと、
前記第１のタイミング信号の前記周波数を前記第１のキャリア周波数に低減することによって前記ワイヤレス通信デバイスの第２のトランシーバチェーンにおける第２の永続的ＬＯ信号を生成することと、
第２のタイミング信号の周波数を第２のキャリア周波数に低減することによって前記第２のトランシーバチェーンにおける第３の永続的ＬＯ信号を生成することと、
前記ワイヤレス通信デバイスの動作モードを示すモード選択信号に少なくとも部分的に基づいて、前記第２のトランシーバチェーンを介してワイヤレス信号を送信するための前記第２の永続的ＬＯ信号または前記第３の永続的ＬＯ信号のいずれかを選択することと
を備える、方法。
【請求項１２】
前記動作モードとは無関係に、前記第１の永続的ＬＯ信号と前記第２の永続的ＬＯ信号との間の一定の位相関係を維持することをさらに備える、
請求項１１に記載の方法。
【請求項１３】
前記選択することは、
前記モード選択信号が８０ＭＨｚチャネル帯域幅モードを示すとき、前記第２の永続的ＬＯ信号を選択することと、
前記モード選択信号が８０＋８０ＭＨｚチャネル帯域幅モードを示すとき、前記第３の永続的ＬＯ信号を選択することと
を備える、請求項１１に記載の方法。
【請求項１４】
第３のタイミング信号の周波数を前記第１のキャリア周波数に低減することによって前記ワイヤレス通信デバイスの第３のトランシーバチェーンにおける第４の永続的ＬＯ信号を生成することと、
前記第３のタイミング信号の前記周波数を前記第１のキャリア周波数に低減することによって前記ワイヤレス通信デバイスの第４のトランシーバチェーンにおける第５の永続的ＬＯ信号を生成することと、
第４のタイミング信号の周波数を前記第２のキャリア周波数に低減することによって前記第４のトランシーバチェーンにおける第６の永続的ＬＯ信号を生成することと、
前記モード選択信号に少なくとも部分的に基づいて、前記第４のトランシーバチェーンを介してワイヤレス信号を送信するための前記第５の永続的ＬＯ信号または前記第６の永続的ＬＯ信号のいずれかを選択することと
をさらに備える、請求項１１に記載の方法。
【請求項１５】
前記動作モードとは無関係に、前記第１の永続的ＬＯ信号と前記第２の永続的ＬＯ信号と前記第４の永続的ＬＯ信号と前記第５の永続的ＬＯ信号との間の一定の位相関係を維持することをさらに備える、
請求項１４に記載の方法。
【請求項１６】
前記動作モードとは無関係に、前記第３の永続的ＬＯ信号と前記第６の永続的ＬＯ信号との間の一定の位相関係を維持することをさらに備える、
請求項１４に記載の方法。
【請求項１７】
第１のチップ上で前記第１のタイミング信号および前記第２のタイミング信号を生成することと、
第２のチップ上で前記第３のタイミング信号および前記第４のタイミング信号を生成することと
をさらに備える、請求項１４に記載の方法。
【請求項１８】
前記第１のタイミング信号と前記第３のタイミング信号との間の一定の位相関係を維持することと、
前記第２のタイミング信号と前記第４のタイミング信号との間の一定の位相関係を維持することと
をさらに備える、請求項１７に記載の方法。
【請求項１９】
ワイヤレス通信デバイスであって、
第１のタイミング信号の周波数を第１のキャリア周波数に低減することによって前記ワイヤレス通信デバイスの第１のトランシーバチェーンにおける第１の永続的ＬＯ信号を生成するための手段と、
前記第１のタイミング信号の前記周波数を前記第１のキャリア周波数に低減することによって前記ワイヤレス通信デバイスの第２のトランシーバチェーンにおける第２の永続的ＬＯ信号を生成するための手段と、
第２のタイミング信号の周波数を第２のキャリア周波数に低減することによって前記第２のトランシーバチェーンにおける第３の永続的ＬＯ信号を生成するための手段と、
前記ワイヤレス通信デバイスの動作モードを示すモード選択信号に少なくとも部分的に基づいて、前記第２のトランシーバチェーンを介してワイヤレス信号を送信するための前記第２の永続的ＬＯ信号または前記第３の永続的ＬＯ信号のいずれかを選択するための手段と
を備える、ワイヤレス通信デバイス。
【請求項２０】
前記動作モードとは無関係に、前記第１の永続的ＬＯ信号と前記第２の永続的ＬＯ信号との間の一定の位相関係を維持するための手段をさらに備える、
請求項１９に記載のワイヤレス通信デバイス。
【請求項２１】
前記選択するための手段は、
前記モード選択信号が８０ＭＨｚチャネル帯域幅モードを示すとき、前記第２の永続的ＬＯ信号を選択することと、
前記モード選択信号が８０＋８０ＭＨｚチャネル帯域幅モードを示すとき、前記第３の永続的ＬＯ信号を選択することと
を行うためのものである、請求項１９に記載のワイヤレス通信デバイス。
【請求項２２】
第３のタイミング信号の周波数を前記第１のキャリア周波数に低減することによって基づいて前記ワイヤレス通信デバイスの第３のトランシーバチェーンにおける第４の永続的ＬＯ信号を生成するための手段と、
前記第３のタイミング信号の前記周波数を前記第１のキャリア周波数に低減することによって前記ワイヤレス通信デバイスの第４のトランシーバチェーンにおける第５の永続的ＬＯ信号を生成するための手段と、
第４のタイミング信号の周波数を前記第２のキャリア周波数に低減することによって前記第４のトランシーバチェーンにおける第６の永続的ＬＯ信号を生成するための手段と、
前記モード選択信号に少なくとも部分的に基づいて、前記第４のトランシーバチェーンを介してワイヤレス信号を送信するための前記第５の永続的ＬＯ信号または前記第６の永続的ＬＯ信号のいずれかを選択するための手段と
をさらに備える、請求項１９に記載のワイヤレス通信デバイス。
【請求項２３】
前記動作モードとは無関係に、前記第１の永続的ＬＯ信号と前記第２の永続的ＬＯ信号と前記第４の永続的ＬＯ信号と前記第５の永続的ＬＯ信号との間の一定の位相関係を維持するための手段をさらに備える、
請求項２２に記載のワイヤレス通信デバイス。
【請求項２４】
前記動作モードとは無関係に、前記第３の永続的ＬＯ信号と前記第６の永続的ＬＯ信号との間の一定の位相関係を維持するための手段をさらに備える、
請求項２２に記載のワイヤレス通信デバイス。
【請求項２５】
第１のチップ上で前記第１のタイミング信号および前記第２のタイミング信号を生成するための手段と、
第２のチップ上で前記第３のタイミング信号および前記第４のタイミング信号を生成ための手段、ここにおいて、前記第１のタイミング信号、前記第２のタイミング信号、前記第３のタイミング信号、および前記第４のタイミング信号の各々は、共通基準クロック信号に位相がロックされる、と
をさらに備える、請求項２２に記載のワイヤレス通信デバイス。
【請求項２６】
命令を記憶する非一時的コンピュータ可読記憶媒体であって、前記命令が、ワイヤレスデバイスの１つまたは複数のプロセッサによって実行されたとき、前記ワイヤレスデバイスに、
第１のタイミング信号の周波数を第１のキャリア周波数に低減することによって前記ワイヤレスデバイスの第１のトランシーバチェーンにおける第１の永続的局部発振器（ＬＯ）信号を生成することと、
前記第１のタイミング信号の前記周波数を前記第１のキャリア周波数に低減することによって前記ワイヤレスデバイスの第２のトランシーバチェーンにおける第２の永続的ＬＯ信号を生成することと、
第２のタイミング信号の周波数を第２のキャリア周波数に低減することによって前記第２のトランシーバチェーンにおける第３の永続的ＬＯ信号を生成することと、
前記ワイヤレスデバイスの動作モードを示すモード選択信号に少なくとも部分的に基づいて、前記第２のトランシーバチェーンを介してワイヤレス信号を送信するための前記第２の永続的ＬＯ信号または前記第３の永続的ＬＯ信号のいずれかを選択することと
を備える動作を実施することによって位相同期ＬＯ信号を生成させる、非一時的コンピュータ可読記憶媒体。
【請求項２７】
前記命令の実行は、前記ワイヤレスデバイスに、
第３のタイミング信号の周波数を前記第１のキャリア周波数に低減することによって基づいて前記ワイヤレスデバイスの第３のトランシーバチェーンにおける第４の永続的ＬＯ信号を生成することと、
前記第３のタイミング信号の前記周波数を前記第１のキャリア周波数に低減することによって前記ワイヤレスデバイスの第４のトランシーバチェーンにおける第５の永続的ＬＯ信号を生成することと、
第４のタイミング信号の周波数を前記第２のキャリア周波数に低減することによって前記第４のトランシーバチェーンにおける第６の永続的ＬＯ信号を生成することと、
前記モード選択信号に少なくとも部分的に基づいて、前記第４のトランシーバチェーンを介してワイヤレス信号を送信するための前記第５の永続的ＬＯ信号または前記第６の永続的ＬＯ信号のいずれかを選択することと
をさらに備える動作を実施させる、請求項２６に記載の非一時的コンピュータ可読記憶媒体。
【請求項２８】
前記命令の実行は、前記ワイヤレスデバイスに、
前記動作モードとは無関係に、前記第１の永続的ＬＯ信号と前記第２の永続的ＬＯ信号と前記第４の永続的ＬＯ信号と前記第５の永続的ＬＯ信号との間の一定の位相関係を維持することをさらに備える動作を実施させる、
請求項２７に記載の非一時的コンピュータ可読記憶媒体。
【請求項２９】
前記命令の実行は、前記ワイヤレスデバイスに、
前記動作モードとは無関係に、前記第３の永続的ＬＯ信号と前記第６の永続的ＬＯ信号との間の一定の位相関係を維持することをさらに備える動作を実施させる、
請求項２７に記載の非一時的コンピュータ可読記憶媒体。
【請求項３０】
前記命令の実行は、前記ワイヤレスデバイスに、
第１のチップ上で前記第１のタイミング信号および前記第２のタイミング信号を生成することと、
第２のチップ上で前記第３のタイミング信号および前記第４のタイミング信号を生成すること、ここにおいて、前記第１のタイミング信号、前記第２のタイミング信号、前記第３のタイミング信号、および前記第４のタイミング信号の各々は、共通基準クロック信号に位相がロックされる、と
をさらに備える動作を実施させる、請求項２７に記載の非一時的コンピュータ可読記憶媒体。
【発明の詳細な説明】
【技術分野】
【０００１】
[0001]例示的な実施形態は、一般に送信ビームフォーミング（transmit beamforming）に関し、詳細には、位相アラインメント回路なしに複数のワイヤレス無線機を使用する送信ビームフォーミングを可能にするためのシステムおよび方法に関する。
【背景技術】
【０００２】
[0002]周波数シンセサイザは、より低い周波数基準信号に基づいて高周波数局部発振器（ＬＯ：local oscillator）信号を生成し得る。周波数シンセサイザによって生成されたＬＯ信号は、データ信号を送信および／または受信するために通信デバイスのワイヤレス無線機によって使用され得る。たとえば、ワイヤレス無線機の送信（ＴＸ）チェーンは、データ信号をベースバンド周波数からキャリア周波数にアップコンバートするためにＬＯ信号を使用し得、ワイヤレス無線機の受信（ＲＸ）チェーンは、受信されたデータ信号をキャリア周波数からベースバンド周波数にダウンコンバートするためにＬＯ信号を使用し得る。キャリア周波数は、データ信号がそれにおいて通信デバイス間で送信される周波数であり得、ベースバンド周波数は、通信デバイス内の回路（たとえば、ベースバンドプロセッサ）がデータ信号をそれにおいて処理する周波数であり得る。ベースバンド周波数は、一般に、キャリア周波数よりも１桁または複数桁小さく、ＬＯ信号は、一般に、キャリア周波数と同様の（または同じ）周波数を有する。
【０００３】
[0003]周波数シンセサイザがワイヤレス無線機のＴＸチェーンとＲＸチェーンの両方に結合されたとき、周波数シンセサイザからＴＸチェーンおよび／またはＲＸチェーンへのＬＯ信号の伝搬は、電力をＴＸチェーンおよび／またはＲＸチェーンのうちの１つまたは複数の回路に望ましくなくリークし得、これは、ワイヤレス無線機の性能を劣化させ得る。
【発明の概要】
【０００４】
[0004]本発明の概要は、発明を実施するための形態において以下でさらに説明される概念の選択を簡略化された形で紹介するために与えられる。本発明の概要は、請求する主題の主要な特徴または本質的特徴を識別するものではなく、請求する主題の範囲を限定するものでもない。
【０００５】
[0005]位相調整回路の使用なしに位相同期局部発振器（ＬＯ）信号を生成するワイヤレス通信デバイスが、本明細書で開示される。ワイヤレス通信デバイスは、第１のタイミング信号を受信するための第１のトランシーバチェーンと、第１のタイミング信号および第２のタイミング信号を受信するための第２のトランシーバチェーンとを含む。第１のトランシーバチェーンは、第１のタイミング信号の周波数を第１のキャリア周波数に低減することによって第１のタイミング信号を第１のＬＯ信号にコンバートするための第１の周波数分周器を含む。第２のトランシーバチェーンは、第１のタイミング信号の周波数を第１のキャリア周波数に低減することによって第１のタイミング信号を第２のＬＯ信号にコンバートするための第２の周波数分周器と、第１のタイミング信号が第２のＬＯ信号にコンバートされる間同時に、第２のＬＯ信号の周波数を第２のキャリア周波数に低減することによって第２のタイミング信号を第３のＬＯ信号にコンバートするための第３の周波数分周器とを含む。第２のトランシーバチェーンは、ワイヤレス通信デバイスの動作モードに少なくとも部分的に基づいて、第２のトランシーバを介してワイヤレス信号を送信または受信するために使用されるべき第２のＬＯ信号または第３のＬＯ信号のうちの１つを選択するための信号選択回路の第１のセットをさらに含む。
【０００６】
[0006]第１の周波数分周器および第２の周波数分周器は、ワイヤレス通信デバイスの動作モードとは無関係に、第１のＬＯ信号と第２のＬＯ信号との間の一定の位相関係を維持するために、連続的にアクティブのままである。これは、ワイヤレス通信デバイスが、（たとえば、パケットごと切替えベースで）第２のＬＯ信号と第３のＬＯ信号との間で切り替えるとき、はるかに急速にビームフォーミング動作を実施することを可能にし得る。たとえば、信号選択回路の第１のセットは、ＩＥＥＥ８０２．１１ａｃ規格によって定義されているように、ワイヤレス通信デバイスが８０ＭＨｚチャネル帯域幅モード（たとえば、第１のトランシーバと第２のトランシーバが同じ８０ＭＨｚ帯域幅上で動作する）で動作するとき、第２のＬＯ信号を選択し得る。一方、信号選択回路の第１のセットは、ＩＥＥＥ８０２．１１ａｃ規格によって定義されているように、ワイヤレス通信デバイスが８０＋８０ＭＨｚチャネル帯域幅モード（たとえば、第１のトランシーバと第２のトランシーバが異なる８０ＭＨｚ帯域幅上で動作する）で動作するとき、第３のＬＯ信号を選択し得る。
【０００７】
[0007]ワイヤレス通信デバイスは、第３のタイミング信号を受信するための第３トランシーバチェーンと、第３タイミング信号と第４のタイミング信号とを受信するための第４のトランシーバチェーンとをさらに含み得る。第３のトランシーバチェーンは、第３のタイミング信号の周波数を第１のキャリア周波数に低減することによって第３のタイミング信号を第４のＬＯ信号にコンバートするための第４の周波数分周器を含む。第４のトランシーバチェーンは、第３のタイミング信号の周波数を第１のキャリア周波数に低減することによって第３のタイミング信号を第５のＬＯ信号にコンバートするための第５の周波数分周器と、第３のタイミング信号が第５のＬＯ信号にコンバートされる間同時に、第４のタイミング信号の周波数を第２のキャリア周波数に低減することによって第４のタイミング信号を第６のＬＯ信号にコンバートするための第６の周波数分周器とを含む。ワイヤレス通信デバイスは、ワイヤレス通信デバイスの動作モードに少なくとも部分的に基づいて、第４のトランシーバチェーンを介してワイヤレス信号を送信または受信するために使用されるべき第５のＬＯ信号または第６のＬＯ信号のうちの１つを選択するための信号選択回路の第２のセットをも含み得る。
【０００８】
[0008]第１の周波数分周器、第２の周波数分周器、第４の周波数分周器、および第５の周波数分周器は、ワイヤレス信号デバイスの動作モードとは無関係に、第１のＬＯ信号と第２のＬＯ信号と第４のＬＯ信号と第５のＬＯ信号との間の一定の位相関係を維持するために、連続的にアクティブのままであり得る。同様に、第３の周波数分周器および第６の周波数分周器は、ワイヤレス信号デバイスの動作モードとは無関係に、第３のＬＯ信号と第６のＬＯ信号との間の一定の位相関係を維持するために、連続的にアクティブのままであり得る。
【０００９】
[0009]さらに、ワイヤレス通信デバイスはまた、第１のタイミング信号を生成するための第１の周波数シンセサイザと、第２のタイミング信号を生成するための第２の周波数シンセサイザとを含み得る。第１の周波数シンセサイザおよび第２の周波数シンセサイザは、第１のチップ上に設けられ得る。ワイヤレス通信デバイスはまた、第３のタイミング信号を生成するための第３の周波数シンセサイザと、第４のタイミング信号を生成するための第４の周波数シンセサイザとを含み得る。第３周波数シンセサイザおよび第４の周波数シンセサイザは、第１のチップとは分離した第２のチップを与えられ得る。
【００１０】
[0010]例示的な実施形態では、第１の周波数シンセサイザは、第３の周波数シンセサイザとの一定の位相関係を維持し、第２の周波数シンセサイザは、第４の周波数シンセサイザとの一定の位相関係を維持する。第１の周波数シンセサイザ、第２の周波数シンセサイザ、第３の周波数シンセサイザ、および第４の周波数シンセサイザの各々は、共通基準クロック信号に位相がロックされ得る。
【００１１】
[0011]複数のキャリア周波数のためのＬＯ信号を連続的に維持することによって、ワイヤレス通信デバイスは、異なる通信および／または動作モード（たとえば、８０ＭＨｚチャネル帯域幅モードおよび８０＋８０ＭＨｚチャネル帯域幅モード）の間で急速に切り替え得る。その上、ＬＯ信号が連続的に動作しているので、ＬＯ信号間の位相関係は、一定のままであり、異なるモード間で切り替えるときでも変化しない。これは、ワイヤレス通信デバイスが、位相調整回路の使用なしに、ほぼ直ちにおよび／またはパケットごと切替えベースで、ビームフォーミング動作を実施することを可能にし得る。
【図面の簡単な説明】
【００１２】
[0012]例示的な実施形態は、例として示されており、添付の図面の図によって限定されるものではない。
【図１】例示的なワイヤレス無線機のブロック図。
【図２】例示的な実施形態が実装され得る通信システムのブロック図。
【図３】例示的な実施形態による、ワイヤレス無線機のブロック図。
【図４】例示的な実施形態による、複数のワイヤレス無線機をもつワイヤレス通信デバイスのブロック図。
【図５】他の実施形態による、複数のワイヤレス無線機をもつワイヤレス通信デバイスのブロック図。
【図６】例示的な実施形態によるワイヤレスデバイスのブロック図。
【図７】位相同期局部発振器（ＬＯ）信号を生成するための例示的な動作を示すフローチャート。
【図８】本明細書で教示される位相同期ＬＯ信号を生成するように構成された装置のいくつかの例示的な態様の別のブロック図。
【発明を実施するための形態】
【００１３】
[0021]例示的な実施形態は、単に簡単のために、ＷＬＡＮシステムのコンテキストにおいて以下で説明される。例示的な実施形態は、他のワイヤレスネットワーク（たとえば、セルラーネットワーク、ピコネットワーク、フェムトネットワーク、衛星ネットワーク）、ならびに１つまたは複数のワイヤード規格またはプロトコル（たとえば、イーサネット（登録商標）および／またはＨｏｍｅＰｌｕｇ／ＰＬＣ規格）の信号を使用するシステムのために等しく適用可能であることを理解されたい。本明細書で使用される「ＷＬＡＮ」および「Ｗｉ−Ｆｉ（登録商標）」という用語は、ＩＥＥＥ８０２．１１規格ファミリー、ＢＬＵＥＴＯＯＴＨ（登録商標）（Ｂｌｕｅｔｏｏｔｈ（登録商標））、ＨｉｐｅｒＬＡＮ（主に欧州で使用される、ＩＥＥＥ８０２．１１規格に匹敵するワイヤレス規格のセット）、および比較的短い電波伝播距離を有する他の技術によって管理される通信を含み得る。したがって、「ＷＬＡＮ」および「Ｗｉ−Ｆｉ」という用語は、本明細書では互換的に使用され得る。さらに、１つまたは複数のＡＰといくつかのＳＴＡとを含むインフラストラクチャＷＬＡＮシステムに関して以下で説明されるが、例示的な実施形態は、たとえば、複数のＷＬＡＮ、ピアツーピア（または独立基本サービスセット）システム、Ｗｉ−Ｆｉ  Ｄｉｒｅｃｔ（登録商標）システム、および／またはホットスポットを含む他のＷＬＡＮシステムに等しく適用可能である。
【００１４】
[0022]以下の説明では、本開示の完全な理解を与えるために、特定の構成要素、回路、およびプロセスの例など、多数の具体的な詳細が記載される。本明細書で使用される「結合された」という用語は、直接接続されていること、あるいは１つまたは複数の介在する構成要素または回路を通して接続されていることを意味する。「送信ビームフォーミング」（または「ＴＸビームフォーミング」）という用語は、送信デバイス（たとえば、「ビームフォーマ」）が、それの発信データフレームを、受信デバイス（たとえば、「ビームフォーミー」）の方向において集束されたワイヤレス信号のセットとして送信されるように成形するプロセスを指す。したがって、集束されたワイヤレス信号のセットは、本明細書では「ビームフォーミングされた信号（beamformed signal）」と総称されることがある。
【００１５】
[0023]また、以下の説明では、説明のために、例示的な実施形態の完全な理解を与えるために具体的な名称が記載される。ただし、これらの具体的な詳細は、例示的な実施形態を実施するために必要でないことがあることが当業者には明らかであろう。他の事例では、本開示を不明瞭にしないように、よく知られている回路およびデバイスがブロック図の形式で示される。以下の詳細な説明のいくつかの部分は、コンピュータメモリ内のデータビットに対する動作のプロシージャ、論理ブロック、処理および他の記号表現に関して提示される。これらの説明および表現は、データ処理分野の当業者によって、自身の仕事の本質を他の当業者に最も効果的に伝達するために使用される手段である。本出願では、プロシージャ、論理ブロック、プロセスなどは、所望の結果をもたらす自己矛盾のない一連のステップまたは命令であると考えられる。ステップは、物理量の物理的操作を必要とするステップである。通常、必ずしも必要とは限らないが、これらの量は、コンピュータシステムにおいて、記憶、転送、結合、比較、および他の方法で操作されることが可能な電気信号または磁気信号の形態をとる。
【００１６】
[0024]ただし、これらおよび同様の用語はすべて、適切な物理量に関連付けられるべきものであり、これらの量に適用される便利なラベルにすぎないことに留意されたい。別段に明記されていない限り、以下の説明から明らかなように、本出願全体にわたって、「アクセスすること」、「受信すること」、「送ること」、「使用すること」、「選択すること」、「決定すること」、「正規化すること」、「乗算すること」、「平均化すること」、「監視すること」、「比較すること」、「適用すること」、「更新すること」、「測定すること」、「導出すること」などの用語を利用する説明は、コンピュータシステムのレジスタおよびメモリ内の物理（電子）量として表されるデータを操作し、コンピュータシステムのメモリあるいはレジスタあるいは他のそのような情報記憶、送信、または表示デバイス内の物理量として同様に表される他のデータに変換する、コンピュータシステムまたは同様の電子コンピューティングデバイスのアクションおよびプロセスを指すことを諒解されたい。
【００１７】
[0025]図では、単一のブロックは、１つまたは複数の機能を実施するものとして説明され得るが、実際には、そのブロックによって実施される１つまたは複数の機能は、単一の構成要素内で、または複数の構成要素にわたって実施され得、および／あるいはハードウェアを使用するか、ソフトウェアを使用するか、またはハードウェアおよびソフトウェアの組合せを使用して実施され得る。ハードウェアとソフトウェアのこの互換性を明確に示すために、様々な例示的な構成要素、ブロック、モジュール、回路、およびステップが、上記では概してそれらの機能に関して説明された。そのような機能がハードウェアとして実装されるか、ソフトウェアとして実装されるかは、特定の適用例および全体的なシステムに課される設計制約に依存する。当業者は、説明される機能を特定の適用例ごとに様々な方法で実装し得るが、そのような実装の決定は、例示的な実施形態の範囲からの逸脱を生じるものと解釈されるべきではない。また、例示的なワイヤレス通信デバイスは、プロセッサ、メモリなどのよく知られている構成要素を含む、示されたもの以外の構成要素を含み得る。
【００１８】
[0026]本明細書で説明される技法は、特定の方式で実装されるものとして特に説明されない限り、ハードウェア、ソフトウェア、ファームウェア、またはそれらの任意の組合せで実装され得る。また、モジュールまたは構成要素として説明される任意の特徴は、集積論理デバイスに一緒に、または個別であるが相互運用可能な論理デバイスとして別々に実装され得る。ソフトウェアで実装された場合、本技法は、実行されたとき、上記で説明された方法のうちの１つまたは複数を実施する命令を備える非一時的プロセッサ可読記憶媒体によって、少なくとも部分的に実現され得る。非一時的プロセッサ可読データ記憶媒体は、パッケージング材料を含み得る、コンピュータプログラム製品の一部を形成し得る。
【００１９】
[0027]非一時的プロセッサ可読記憶媒体は、同期ダイナミックランダムアクセスメモリ（ＳＤＲＡＭ）などのランダムアクセスメモリ（ＲＡＭ）、読取り専用メモリ（ＲＯＭ）、不揮発性ランダムアクセスメモリ（ＮＶＲＡＭ）、電気消去可能プログラマブル読取り専用メモリ（ＥＥＰＲＯＭ（登録商標））、フラッシュメモリ、他の知られている記憶媒体などを備え得る。本技法は、追加または代替として、命令またはデータ構造の形態でコードを搬送または通信し、コンピュータまたは他のプロセッサによってアクセスされ、読み取られ、および／または実行され得るプロセッサ可読通信媒体によって、少なくとも部分的に実現され得る。
【００２０】
[0028]本明細書で開示される実施形態に関して説明される様々な例証となる論理ブロック、モジュール、回路、および命令は、１つまたは複数のデジタル信号プロセッサ（ＤＳＰ）、汎用マイクロプロセッサ、特定用途向け集積回路（ＡＳＩＣ）、特定用途向け命令セットプロセッサ（ＡＳＩＰ）、フィールドプログラマブルゲートアレイ（ＦＰＧＡ）、あるいは他の等価な集積またはディスクリート論理回路など、１つまたは複数のプロセッサによって実行され得る。本明細書で使用される「プロセッサ」という用語は、前述の構造、または本明細書で説明される技法の実装に好適な他の構造のいずれかを指し得る。さらに、いくつかの態様では、本明細書で説明される機能は、本明細書で説明されるように構成された専用のソフトウェアモジュールまたはハードウェアモジュール内に与えられ得る。また、本技法は、１つまたは複数の回路または論理要素で十分に実装され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと併用される１つまたは複数のマイクロプロセッサ、または任意の他のそのような構成として実装され得る。
【００２１】
[0029]上述のように、周波数シンセサイザがワイヤレス無線機のＴＸチェーンとＲＸチェーンの両方に結合されたとき、周波数シンセサイザからＴＸチェーンおよび／またはＲＸチェーンへの局部発振器（ＬＯ）信号の伝搬は、電力をＴＸチェーンおよび／またはＲＸチェーンのうちの１つまたは複数の回路に望ましくなくリークし得、これは、ワイヤレス無線機の性能を劣化させ得る。たとえば、図１はワイヤレス無線機１００のブロック図を示す。ワイヤレス無線機１００は、ＴＸチェーン１１０と、ＲＸチェーン１２０と、周波数シンセサイザ１３０とを含む。ＴＸチェーン１１０およびＲＸチェーン１２０は、それぞれ、ワイヤレス媒体上で信号を送信および受信するための１つまたは複数のアンテナ（簡単のために図示せず）に結合され得る。周波数シンセサイザ１３０は、選択されたキャリア周波数においてＬＯ信号を生成する。
【００２２】
[0030]ＴＸチェーン１１０は、デジタルアナログコンバータ（ＤＡＣ）１１２と、ＴＸフィルタ１１４と、ミキサ１１６と、ドライバ増幅器（ＤＡ）１１８とを含む。ＤＡＣ１１２は、発信データ（ＴＸデータ）をアナログデータ信号にコンバートし、アナログデータ信号はＴＸフィルタ１１４を介してフィルタ処理される。アナログデータ信号は次いで、ミキサ１１６によって、たとえば、アナログデータ信号をＬＯ信号と混合することによって、ベースバンド周波数からキャリア周波数にアップコンバートされる。アップコンバートされたデータ信号は、ＤＡ１１８によって増幅され、その後、ワイヤレス送信（ＴＸ）信号として出力される。
【００２３】
[0031]ＲＸチェーン１２０は、アナログデジタルコンバータ（ＡＤＣ）１２２と、ＲＸフィルタ１２４と、ミキサ１２６と、低雑音増幅器（ＬＮＡ）１２８とを含む。ＬＮＡ１２８は、受信ワイヤレス（ＲＸ）信号を受信し、増幅する。ミキサ１２６は、たとえば、ＲＸ信号をＬＯ信号と混合することによって、ＲＸ信号をキャリア周波数からベースバンド周波数にダウンコンバートする。ダウンコンバートされたデータ信号は、ＲＸフィルタ１２４によってフィルタ処理され、次いで、ＡＤＣ１２２によってＲＸデータのデジタルビットストリームにコンバートされる。
【００２４】
[0032]強いＬＯ信号の存在は、ＴＸチェーン１１０および／またはＲＸチェーン１２０におけるＬＯリーケージにつながり得る。たとえば、周波数シンセサイザ１３０からミキサ１１６および１２６まで信号経路１３１に沿って伝搬するＬＯ信号が、電力をＴＸチェーン１１０内の回路（たとえば、ミキサ１１６および／またはＤＡ１１８）および／またはＲＸチェーン１２０内の回路（たとえば、ミキサ１２６および／またはＬＮＡ１２８）にリークし得る。ＬＯ信号の周波数は、一般に、キャリア周波数にまたはそれの近くにあるので、ＬＯリーケージは、ＴＸ信号の送信および／またはＲＸ信号の受信に悪影響を及ぼし得る。
【００２５】
[0033]図２は、例示的な実施形態が実装され得る通信システム２００のブロック図を示す。通信システム２００は、ワイヤレスアクセスポイント（ＡＰ）２１０と、２つのワイヤレス局ＳＴＡ１およびＳＴＡ２とを含むように示されている。ＡＰ２１０ならびにワイヤレス局ＳＴＡ１およびＳＴＡ２は、ＩＥＥＥ８０２．１１規格ファミリーに従って（または他の好適なワイヤレスプロトコルに従って）動作し得る。
【００２６】
[0034]ＡＰ２１０は、１つまたは複数のワイヤレスデバイスが、Ｗｉ−Ｆｉ、Ｂｌｕｅｔｏｏｔｈ、または任意の他の好適なワイヤレス通信規格を使用してＡＰ２１０を介してネットワーク（たとえば、ローカルエリアネットワーク（ＬＡＮ）、ワイドエリアネットワーク（ＷＡＮ）、メトロポリタンエリアネットワーク（ＭＡＮ）、および／またはインターネット）に接続することを可能にする、任意の好適なデバイスであり得る。ＡＰ２１０は、たとえば、デバイス製造業者によって、その中にプログラムされる一意のメディアアクセス制御（ＭＡＣ）アドレスを割り当てられ得る。いくつかの実施形態では、ＡＰ２１０は、ソフトウェア対応アクセスポイント（「ＳｏｆｔＡＰ」）として働く任意の好適なワイヤレスデバイス（たとえば、ワイヤレスＳＴＡなど）であり得る。少なくとも１つの実施形態では、ＡＰ２１０は、複数のトランシーバと、１つまたは複数の処理リソース（たとえば、プロセッサおよび／またはＡＳＩＣ）と、１つまたは複数のメモリリソースと、電源とを含み得る。メモリリソースは、図７に関して以下で説明される動作を実施するための命令を記憶する非一時的コンピュータ可読媒体（たとえば、ＥＰＲＯＭ、ＥＥＰＲＯＭ、フラッシュメモリ、ハードドライブなど、１つまたは複数の不揮発性メモリ要素）を含み得る。
【００２７】
[0035]局ＳＴＡ１およびＳＴＡ２の各々は、たとえば、セルフォン、携帯情報端末（ＰＤＡ）、タブレットデバイス、ラップトップコンピュータなどを含む、任意の好適なＷｉ−Ｆｉ対応ワイヤレスデバイスであり得る。局ＳＴＡ１およびＳＴＡ２の各々は、ユーザ機器（ＵＥ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。各局ＳＴＡ１およびＳＴＡ２はまた、一意のＭＡＣアドレスを割り当てられ得る。少なくともいくつかの実施形態では、局ＳＴＡ１およびＳＴＡ２は、１つまたは複数のトランシーバと、１つまたは複数の処理リソース（たとえば、プロセッサおよび／またはＡＳＩＣ）と、１つまたは複数のメモリリソースと、電源（たとえば、バッテリー）とを含み得る。メモリリソースは、図７に関して以下で説明される動作を実施するための命令を記憶する非一時的コンピュータ可読媒体（たとえば、ＥＰＲＯＭ、ＥＥＰＲＯＭ、フラッシュメモリ、ハードドライブなど、１つまたは複数の不揮発性メモリ要素）を含み得る。
【００２８】
[0036]ＡＰ２１０ならびに／または局ＳＴＡ１およびＳＴＡ２では、１つまたは複数のトランシーバは、Ｗｉ−Ｆｉトランシーバ、Ｂｌｕｅｔｏｏｔｈトランシーバ、ＮＦＣトランシーバ、セルラートランシーバ、および／またはワイヤレス通信信号を送信および受信するための他の好適な無線周波数（ＲＦ）トランシーバ（簡単のために図示せず）を含み得る。各トランシーバは、別個の動作周波数帯域においておよび／または別個の通信プロトコルを使用して、他のワイヤレスデバイスと通信し得る。たとえば、Ｗｉ−Ｆｉトランシーバは、ＩＥＥＥ８０２．１１規格に従って、２．４ＧＨｚ周波数帯域内および／または５ＧＨｚ周波数帯域内で通信し得る。セルラートランシーバは、第３世代パートナーシッププロジェクト（３ＧＰＰ（登録商標））によって記述された４Ｇロングタームエボリューション（ＬＴＥ（登録商標））プロトコルに従って（たとえば、約７００ＭＨｚから約３．９ＧＨｚの間で）、および／または他のセルラープロトコル（たとえば、モバイル用グローバルシステム（ＧＳＭ（登録商標））通信プロトコル）に従って、様々なＲＦ周波数帯域内で通信し得る。他の実施形態では、トランシーバは、ＺｉｇＢｅｅ（登録商標）仕様によって記述されたＺｉｇＢｅｅトランシーバ、ＷｉＧｉｇトランシーバ、および／またはＨｏｍｅＰｌｕｇ  Ａｌｌｉａｎｃｅからの仕様において記述されたＨｏｍｅＰｌｕｇトランシーバなどの任意の技術的に実現可能なトランシーバであり得る。
【００２９】
[0037]例示的な実施形態では、ＡＰ２１０ならびにワイヤレス局ＳＴＡ１およびＳＴＡ２は、ＩＥＥＥ８０２．１１ａｃ仕様に従って動作し得る。ＩＥＥＥ８０２．１１ａｃ仕様は、ＩＥＥＥ８０２．１１規格にいくつかの追加の特徴および拡張を導入する。たとえば、ＩＥＥＥ８０２．１１ａｃ仕様は、連続する８０ＭＨｚチャネル帯域幅と、随意の「８０＋８０」ＭＨｚチャネル帯域幅とを定義する。８０＋８０ＭＨｚチャネル帯域幅をサポートするワイヤレスデバイスは、（たとえば、第２のトランシーバチェーンを介して）第２の８０ＭＨｚ周波数帯域またはチャネル上でデータを同時に送信および受信しながら、（たとえば、第１のトランシーバチェーンを介して）第１の８０ＭＨｚ周波数帯域またはチャネル上でデータを送信および受信し得る。
【００３０】
[0038]ＩＥＥＥ８０２．１１ａｃ規格はまた、エネルギーを単一の受信デバイス（または受信デバイスのグループ）のほうへ集束させるために送信デバイスによって使用され得る明示的ビームフォーミング技法について説明する。（たとえば、信号をすべての方向において放射することとは対照的に）ワイヤレス信号を特定の方向において集束させることによって、送信デバイスは、受信デバイスとのデータ通信の範囲、信号対雑音比（ＳＮＲ）および／またはスループット（たとえば、データレート）を増加させ得る。ビームフォーミングが可能であるために、送信デバイスは、複数のアンテナと複数のトランシーバチェーンとを必要とし得る。ビームフォーミングするとき、送信デバイスの複数のアンテナが、信号を特定の方向において「ステアリング」するために異なる位相オフセットをもつ同じワイヤレス信号を送信し得る。位相シフト信号は、送信デバイスと受信デバイスとの間の経路に沿って（たとえば、「ビームフォーミングされた信号」を生成するために）収束し得る。
【００３１】
[0039]図２の例では、ＡＰ２１０は、８０＋８０ＭＨｚチャネル帯域幅を使用してＳＴＡ１と通信する。より詳細には、８０＋８０ＭＨｚチャネル帯域幅モード（以下で「８０＋８０モード」と呼ばれる）で動作するとき、ＡＰ２１０は、全指向性（ＯＤ：omnidirectional）ワイヤレス信号２０１を（たとえば、５ＧＨｚ周波数帯域の）第１の８０ＭＨｚチャネル上および第２の８０ＭＨｚチャネル上で同時に送信し得る。第１の８０ＭＨｚチャネルおよび第２の８０ＭＨｚチャネルは、連続８０ＭＨｚチャネルまたは不連続８０ＭＨｚチャネルに対応し得る。たとえば、ＡＰ２１０は、５ＧＨｚ周波数帯域のそれぞれの８０ＭＨｚチャネル上で動作（たとえば、それらの上で通信）し得る複数のトランシーバまたはトランシーバチェーン（簡単のために図２に図示せず）を含み得る。したがって、ＡＰ２１０の第１のトランシーバチェーンがＯＤ信号２０１の第１のサブセットを第１の８０ＭＨｚチャネルを介してＳＴＡ１に送信する間、同時に、ＡＰ２１０の第２のトランシーバチェーンがＯＤ信号２０１の第２のサブセットを第２の８０ＭＨｚチャネルを介してＳＴＡ１に送信し得る。
【００３２】
[0040]さらに、ＡＰ２１０は、ビームフォーミング技法を使用してＳＴＡ２と通信し得る。より詳細には、ビームフォーミングモード（以下で「ＢＦモード」と呼ばれる）で動作するとき、ＡＰ２１０は、ビームフォーミング（ＢＦ）ワイヤレス信号２０２を８０ＭＨｚチャネル上でＳＴＡ２に送信し得る。たとえば、ＡＰ２１０は、「サウンディング（sounding）」技法を使用して、ＳＴＡ２の相対ロケーション、したがってＢＦ信号２０２をダイレクトする方向を決定し得る。サウンディングは、ＡＰ２１０がそれによって、たとえば、トレーニングデータおよび／またはメタデータをヌルデータパケット（ＮＤＰ）の形態でＳＴＡ２に送信することによって、チャネル状態情報（ＣＳＩ）を収集し得るプロセスである。ＳＴＡ２は、対応するトレーニングデータに少なくとも部分的に基づいてフィードバックベクトルを計算し得、圧縮されたビームフォーミングフレームの形態でフィードバックベクトルをＡＰ２１０に返し得る。ＡＰ２１０は、ＳＴＡ２を対象とするデータストリームをそれを用いてプリコーディングすべきステアリング行列を生成するために、フィードバックベクトルを使用し得る。より詳細には、ＡＰ２１０は、ＳＴＡ２の方向においてＢＦ信号２０２を生成する（または「ステアリングする」）ために、ステアリング行列を使用し得る。
【００３３】
[0041]ビームフォーミングを可能にするために、ＡＰ２１０は、複数のトランシーバチェーンを同じ８０ＭＨｚチャネル上で動作させる必要があり得る。たとえば、ＡＰ２１０の各トランシーバチェーンにおける局部発振器（ＬＯ）信号は、同じ発振周波数にチューニングされ得る。その上、ＡＰ２１０のトランシーバチェーンの各々におけるＬＯ信号の位相は、ビームフォーミングされた信号を生成するために（たとえば、適切な位相オフセットが発信データ信号に適用され得るように）アラインされるか、または少なくとも知られるべきある。しかしながら、ＬＯ信号は、ＡＰ２１０中のトランシーバチェーンのうちの１つまたは複数がキャリア周波数を変更するとき（たとえば、ＡＰ２１０が８０＋８０モードとＢＦモードの間で切り替えるとき、および／またはローカル周波数分周器がリセットされるとき）、ミスアラインになり得る。従来の位相アラインメント回路は、（たとえば、パケットごと切替えベースでの）高速切替え適用例においてＬＯ信号の位相を検出および／または調整するには遅すぎる（したがって不十分である）ことがある。
【００３４】
[0042]例示的な実施形態では、ＡＰ２１０中の各トランシーバチェーンは、ビームフォーミングのために使用されるキャリア周波数にチューニングされたＬＯ信号を連続的に生成および／または維持し得る。連続的に動作している（または「永続的」）ＬＯ信号は、（たとえば、ＬＯ信号間の一定の位相関係および／またはオフセットを維持するために）互いに位相同期の一定の状態にあり、したがって、ＡＰ２１０が、（たとえば、パケットごと切替えベースで）８０＋８０モードとＢＦモードの間で切り替えるときに直ちにＢＦ信号２０２を生成することを可能にし得る。
【００３５】
[0043]図１に関して上記で説明されたように、ＬＯ信号は、電力をトランシーバチェーンの回路にリークし得る。複数のＬＯ信号を連続的に維持することは、トランシーバチェーンにおけるなお一層のＬＯリーケージを引き起こし得る。例示的な実施形態では、ＡＰ２１０は、永続的ＬＯ信号の移動の距離を低減することによって、ＬＯリーケージを緩和し得、これは、トランシーバ回路をＬＯリーケージにさらすことを低減し得る。
【００３６】
[0044]図３は、例示的な実施形態による、ワイヤレス無線機３００のブロック図を示す。ワイヤレス無線機３００は、ワイヤレス媒体上でデータ信号を送信および受信するためにワイヤレスデバイス（たとえば、図２のＡＰ２１０ならびに／または局ＳＴＡ１およびＳＴＡ２など）内に実装され得る。ワイヤレス無線機３００は、プライマリトランシーバ（ＴＲＸ）チェーン３１０と、セカンダリＴＲＸチェーン３２０と、プライマリ周波数シンセサイザ３３０と、セカンダリ周波数シンセサイザ３４０とを含む。例示的な実施形態では、プライマリＴＲＸチェーン３１０は、５ＧＨｚ周波数帯域の第１の８０ＭＨｚチャネル上で動作し得、セカンダリＴＲＸチェーン３２０は、（たとえば、ワイヤレス無線機３００の動作モードに依存して）５ＧＨｚ周波数帯域の第１の８０ＭＨｚチャネル上または第２の８０ＭＨｚチャネル上で動作するように選択的に構成され得る。
【００３７】
[0045]プライマリＴＲＸチェーン３１０は、第１のアンテナＡＮＴ１を介して発信（ＴＸ）データ信号を送信するためのＴＸ回路を含み得、第１のアンテナＡＮＴ１または別のアンテナ（簡単のために図示せず）を介して着信（ＲＸ）データ信号を受信するためのＲＸ回路を含み得る。簡単のために、プライマリＴＲＸチェーン３１０のＲＸ回路は、図３に示されていない。プライマリＴＲＸチェーン３１０のＴＸ回路は、デジタルアナログコンバータ（ＤＡＣ）３１２と、送信（ＴＸ）フィルタ３１４と、ミキサ３１６と、第１のアンテナＡＮＴ１に結合されたドライバ増幅器（ＤＡ）３１８とを含む。ＤＡＣ３１２は、発信（ＴＸ１）データの第１のストリームをアナログデータ信号にコンバートし得、アナログデータ信号はＴＸフィルタ３１４によってフィルタ処理される。フィルタ処理されたアナログデータ信号は、次いで、ミキサ３１６によって、たとえば、アナログデータ信号をプライマリＬＯ信号（ＬＯ１）と混合することによって、（たとえば、第１の８０ＭＨｚチャネルに対応する）第１のキャリア周波数にアップコンバートされる。アップコンバートされたアナログデータ信号は、ＤＡ３１８によって増幅され、その後、第１のワイヤレスデータ（ＴＸ１）信号としてＡＮＴ１を介して送信される。
【００３８】
[0046]セカンダリＴＲＸチェーン３２０は、第２のアンテナＡＮＴ２を介してＴＸデータ信号を送信するためのＴＸ回路を含み得、第２のアンテナＡＮＴ２または別のアンテナ（簡単のために図示せず）を介してＲＸデータ信号を受信するためのＲＸ回路を含み得る。簡単のために、セカンダリＴＲＸチェーン３２０のＲＸ回路は、図３に示されていない。セカンダリＴＲＸチェーン３２０のＴＸ回路は、ＤＡＣ３２２と、ＴＸフィルタ３２４と、ミキサ３２６と、第２のアンテナＡＮＴ２に結合されたＤＡ３２８とを含む。ＤＡＣ３２２は、発信（ＴＸ２）データの第２のストリームをアナログデータ信号にコンバートし得、アナログデータ信号はＴＸフィルタ３２４によってフィルタ処理される。フィルタ処理されたアナログデータ信号は、次いで、ミキサ３２６によって、たとえば、アナログデータ信号をセカンダリＬＯ信号（ＬＯ２）と混合することによって、第１のキャリア周波数または（たとえば、第２の８０ＭＨｚチャネルに対応する）第２のキャリア周波数のいずれかにアップコンバートされる。アップコンバートされたアナログデータ信号は、ＤＡ３２８によって増幅され、その後、第２のワイヤレスデータ（ＴＸ２）信号としてＡＮＴ２を介して送信される。
【００３９】
[0047]例示的な実施形態では、プライマリ周波数シンセサイザ３３０は、第１のキャリア周波数よりも著しく大きい発振周波数を有する第１のタイミング信号３０１を生成する。たとえば、第１のタイミング信号３０１の周波数は、第１のキャリア周波数の倍数（たとえば、２倍）であり得る。セカンダリ周波数シンセサイザ３４０は、第２のキャリア周波数よりも著しく大きい発振周波数を有する第２のタイミング信号３０２を生成する。たとえば、第２のタイミング信号３０２の周波数は、第２のキャリア周波数の倍数（たとえば、２倍）であり得る。第１のタイミング信号３０１は、プライマリＴＲＸチェーン３１０とセカンダリＴＲＸチェーン３２０とに与えられるが、第２のタイミング信号３０２はセカンダリＴＲＸチェーン３２０のみに与えられる。
【００４０】
[0048]プライマリＴＲＸチェーン３１０中に与えられた周波数分周器３１１は、第１のタイミング信号３０１を受信し、第１のタイミング信号３０１に基づいてプライマリＬＯ信号（ＬＯ１）を生成する。たとえば、周波数分周器３１１は、（たとえば、よく知られている周波数分割技法を使用して）第１のタイミング信号３０１の周波数を第１のキャリア周波数に低減し得る。得られた周波数低減されたタイミング信号は、周波数分周器３１１によってプライマリＬＯ信号ＬＯ１として出力され得る。同様に、セカンダリＴＲＸチェーン３２０中に与えられた第１の周波数分周器３２１は、第１のタイミング信号３０１を受信し、たとえば、第１のタイミング信号３０１の周波数を第１のキャリア周波数に低減することによって、（たとえば、セカンダリＬＯ信号ＬＯ２として選択され得る）第１のＬＯ信号ＬＯ２1を生成する。第２のＴＲＸチェーン３２０中に与えられた第２の周波数分周器３２３は、第２のタイミング信号３０２を受信し、たとえば、第２のタイミング信号３０２の周波数を第２のキャリア周波数に低減することによって、（たとえば、セカンダリＬＯ信号ＬＯ２として選択され得る）第２のＬＯ信号ＬＯ２2を生成する。
【００４１】
[0049]セカンダリＴＲＸチェーン３２０は、第１のＬＯ信号ＬＯ２1および第２のＬＯ信号ＬＯ２2をそれぞれ受信するマルチプレクサ３２５をさらに含み得、ＬＯ信号ＬＯ２1またはＬＯ信号ＬＯ２2のうちの１つをセカンダリＬＯ信号ＬＯ２として選択的に出力する。いくつかの実施形態では、マルチプレクサ３２５は、ワイヤレス無線機３００の動作モードに少なくとも部分的に基づいて、ＬＯ信号ＬＯ２1およびＬＯ信号ＬＯ２2のうちの１つを選択し得る。たとえば、マルチプレクサ３２５は、ワイヤレス無線機３００が８０＋８０モードで動作すべきであるとき、（たとえば、セカンダリＴＲＸチェーン３２０を第２の８０ＭＨｚチャネル上で動作させるために）第２のＬＯ信号ＬＯ２2を選択し得る。一方、マルチプレクサ３２５は、ワイヤレス無線機３００がＢＦモードおよび／または単一８０ＭＨｚチャネル帯域幅モードで動作すべきであるとき、（たとえば、セカンダリＴＲＸチェーン３２０を第１の８０ＭＨｚチャネル上で動作させるために）第１のＬＯ信号ＬＯ２1を選択し得る。いくつかの実施形態では、マルチプレクサ３２５は、ワイヤレス無線機３００の動作モードを示すモード選択（Ｍ＿Ｓｅｌ）信号に応答し得る。
【００４２】
[0050]周波数分周器が（たとえば、低電力および／またはアイドル状態から）オンにされ、またはアクティブ化されるとき、周波数分周器は、周波数分割された出力信号（たとえば、ＬＯ信号）におけるランダム位相オフセットをもたらし得る。したがって、複数の周波数分周器によって生成されたＬＯ信号の位相は、互いに異なり得る。電力を節約するために、周波数分周器は、一般に、使用されていないとき（たとえば、特定の周波数分周器によって生成されるＬＯ信号が必要とされないとき）、オフにされ、または非アクティブ化される。しかしながら、ＬＯ信号間の位相差は、周波数分周器のうちの１つまたは複数が非アクティブ化および再アクティブ化されるたびに変動し得る。これは、適切な位相検出および／またはアラインメント回路がない場合、ビームフォーミングを、不可能ではなくとも、困難にし得る。しかしながら、上記で説明されたように、従来の位相アラインメント回路は、（たとえば、パケットごと切替えベースでの）高速切替え適用例においてＬＯ信号の位相を検出および／または調整するために不十分であることがある。
【００４３】
[0051]例示的な実施形態では、周波数分周器３１１および周波数分周器３２１は、ワイヤレス無線機３００の動作モードにかかわらず、（たとえば、それぞれ、ＬＯ信号ＬＯ１およびＬＯ信号ＬＯ２1を一定または永続状態に維持するために）連続的にアクティブのままであり得る。たとえば、周波数分周器３２１は、ワイヤレス無線機３００が（セカンダリＬＯ信号ＬＯ2が第２のＬＯ信号ＬＯ２2をそれの間追跡する）８０＋８０モードで動作するときでも、第１のタイミング信号３０１に基づいて、第１のＬＯ信号ＬＯ２1を生成し続け得る。周波数分周器３１１と周波数分周器３２１とがアクティブのままである持続時間の間、ＬＯ信号ＬＯ１とＬＯ信号ＬＯ２1との間の位相オフセットまたは差が維持される。したがって、周波数分周器３１１と周波数分周器３２１とを連続的にアクティブ状態に維持することによって、例示的な実施形態は、第１のＬＯ信号ＬＯ２1がプライマリＬＯ信号ＬＯ１との一定および連続的位相関係を維持することを保証し得る。したがって、ワイヤレス無線機３００がＢＦモードに切り替わるとき、セカンダリＬＯ信号ＬＯ２はすでにプライマリＬＯ信号ＬＯ１と位相同期され得、ワイヤレス無線機３００は、直ちにＴＲＸチェーン３１０および３２０を使用して、ビームフォーミングされた信号を生成し始め得る。
【００４４】
[0052]上記で説明されたように、第１のタイミング信号３０１および第２のタイミング信号３０２は、ＬＯ信号（たとえば、ＬＯ１およびＬＯ２）にコンバートされ得る。しかしながら、タイミング信号３０１の周波数およびタイミング信号３０２の周波数は、それぞれ、第１のキャリア周波数および第２のキャリア周波数よりも著しく高いので、タイミング信号３０１およびタイミング信号３０２は、電力をＴＲＸチェーン３１０および／またはＴＲＸチェーン３２０にリークしないことがある。より詳細には、周波数分周器３１１とミキサ３１６との間の信号経路３１７は、プライマリＬＯ信号ＬＯ１に起因するプライマリＴＲＸチェーン３１０へのＬＯリーケージを低減するおよび／または最小限に抑えるために、プライマリ周波数シンセサイザ３３０と周波数分周器３１１との間の信号経路３３１よりも著しく短くなり得る。さらに、周波数分周器３２１とミキサ３２６との間の信号経路３２７は、第１のＬＯ信号ＬＯ２1および／またはセカンダリＬＯ信号ＬＯ２に起因するセカンダリＴＲＸチェーン３２０へのＬＯリーケージを低減するおよび／または最小限に抑えるために、プライマリ周波数シンセサイザ３３０と周波数分周器３２１との間の信号経路３３２よりも著しく短くなり得る。またさらに、周波数分周器３２３とミキサ３２６との間の信号経路３２７は、第２のＬＯ信号ＬＯ２2および／またはセカンダリＬＯ信号ＬＯ２に起因するセカンダリＴＲＸチェーン３２０へのＬＯリーケージを低減するおよび／または最小限に抑えるために、セカンダリ周波数シンセサイザ３４０と周波数分周器３２３との間の信号経路３４１よりも著しく短くなり得る。
【００４５】
[0053]したがって例示的な実施形態は、ワイヤレス無線機３００が、ＬＯ信号に起因し得るＬＯリーケージの影響を低減するかまたはさもなければ緩和しながら、パケットごと切替えベースでＴＸビームフォーミングを実施することを可能にする、永続的ＬＯ信号（たとえば、ＬＯ１およびＬＯ２1）を与え得る。図３の例では（簡単のために）２つのトランシーバチェーンのみが示されているが、本明細書で説明される実施形態は、任意の数のトランシーバチェーンを有するワイヤレス無線機に容易に適用され得る。いくつかの実施形態では、本明細書で説明されるシステムおよび方法は、ビームフォーミングが複数のワイヤレス無線機および／またはチップにわたって実施されることを可能にし得る。
【００４６】
[0054]図４は、他の例示的な実施形態による、複数のワイヤレス無線機をもつワイヤレス通信デバイス４００のブロック図を示す。ワイヤレス通信デバイス４００は、ワイヤレス媒体上でデータ信号を送信および受信するためにワイヤレスデバイス（たとえば、図２のＡＰ２１０ならびに／または局ＳＴＡ１およびＳＴＡ２など）内に実装され得る。ワイヤレス通信デバイス４００は、第１のワイヤレス無線機４１０と、第２のワイヤレス無線機４２０と、クロック信号生成器４３０とを含む。例示的な実施形態では、第１のワイヤレス無線機４１０は、第１のチップ上にパッケージングされるかまたは与えられ得、第２のワイヤレス無線機４２０は、第１のチップとは別および別個である（たとえば、物理的に分離された）第２のチップ上にパッケージングされるかまたは与えられ得る。さらに、ワイヤレス無線機４１０およびワイヤレス無線機４２０の各々は、図３のワイヤレス無線機３００の実施形態であり得る。
【００４７】
[0055]第１のワイヤレス無線機４１０は、プライマリ周波数シンセサイザ４１１と、プライマリＴＲＸチェーン４１２と、セカンダリ周波数シンセサイザ４１３と、セカンダリＴＲＸチェーン４１４とを含む。例示的な実施形態では、プライマリＴＲＸチェーン４１２は５ＧＨｚ周波数帯域の第１の８０ＭＨｚチャネル上で動作し得、セカンダリＴＲＸチェーン４１４は、（たとえば、ワイヤレス無線機４１０および／またはワイヤレス通信デバイス４００の動作モードに依存して）５ＧＨｚ周波数帯域の第１の８０ＭＨｚチャネル上または第２の８０ＭＨｚチャネル上で動作し得る。いくつかの実施形態では、第１のワイヤレス無線機４１０は、追加のトランシーバチェーン（簡単のために図示せず）を含み得る。
【００４８】
[0056]プライマリ周波数シンセサイザ４１１は、（たとえば、第１の８０ＭＨｚチャネルに対応する）第１のキャリア周波数よりも著しく大きい発振周波数を有する第１のタイミング信号ＴＳ１を生成する。たとえば、第１のタイミング信号ＴＳ１の周波数は、第１のキャリア周波数の倍数（たとえば、２倍）であり得る。セカンダリ周波数シンセサイザ４１３は、（たとえば、第２の８０ＭＨｚチャネルに対応する）第２のキャリア周波数よりも著しく大きい発振周波数を有する第２のタイミング信号ＴＳ２を生成する。たとえば、第２のタイミング信号ＴＳ２の周波数は、第２のキャリア周波数の倍数（たとえば、２倍）であり得る。第１のタイミング信号ＴＳ１は、プライマリＴＲＸチェーン４１２とセカンダリＴＲＸチェーン４１４とに与えられるが、第２のタイミング信号ＴＳ２はセカンダリＴＲＸチェーン４１４のみに与えられる。
【００４９】
[0057]プライマリＴＲＸチェーン４１２は、第１のタイミング信号ＴＳ１に基づいて、第１のワイヤレス無線機４１０のためのプライマリＬＯ信号ＬＯ１Aを生成するための周波数分周器４１５を含む。たとえば、周波数分周器４１５は、第１のタイミング信号ＴＳ１の周波数を第１のキャリア周波数に低減し得る。得られた周波数低減されたタイミング信号は、周波数分周器４１５によってプライマリＬＯ信号ＬＯ１Aとして出力され得る。より詳細には、プライマリＬＯ信号ＬＯ１Aは、第１の８０ＭＨｚチャネル上でワイヤレス信号をそれぞれ送信および／または受信するための、プライマリＴＲＸチェーン４１２中のＴＸおよび／またはＲＸ回路（簡単のために図示せず）に与えられ得る。いくつかの実施形態では、周波数分周器４１５とＴＸ／ＲＸ回路との間の信号経路は、たとえば、プライマリＬＯ信号ＬＯ１Aに起因するＬＯリーケージを低減するおよび／または最小限に抑えるために、プライマリ周波数シンセサイザ４１１と周波数分周器４１５との間の信号経路よりも著しく短くなり得る。
【００５０】
[0058]セカンダリＴＲＸチェーン４１４は、それぞれのＬＯ信号ＬＯ２1とＬＯ信号ＬＯ２2とを生成するための周波数分周器４１６と周波数分周器４１７とを含み、ＬＯ信号ＬＯ２1またはＬＯ信号ＬＯ２2のうちの１つを第１のワイヤレス無線機４１０のためのセカンダリＬＯ信号ＬＯ２Aとして選択的に出力するためのマルチプレクサ４１８を含む。周波数分周器４１６は、たとえば、第１のタイミング信号ＴＳ１の周波数を第１のキャリア周波数に低減することによって、第１のタイミング信号ＴＳ１に基づいてＬＯ信号ＬＯ２1を生成し得る。周波数分周器４１７は、たとえば、第２のタイミング信号ＴＳ２の周波数を第２のキャリア周波数に低減することによって、第２のタイミング信号ＴＳ２に基づいてＬＯ信号ＬＯ２2を生成し得る。
【００５１】
[0059]マルチプレクサ４１８は、ワイヤレス通信デバイス４００および／またはワイヤレス無線機４１０の動作モードに少なくとも部分的に基づいて、セカンダリＬＯ信号ＬＯ２Aとして出力のためにＬＯ信号ＬＯ２1またはＬＯ信号ＬＯ２2のうちの１つを選択し得る。たとえば、マルチプレクサ４１８は、ワイヤレス通信デバイス４００が単一８０ＭＨｚチャネル帯域幅モードで動作すべきであるとき、（たとえば、セカンダリＴＲＸチェーン４１４を第１の８０ＭＨｚチャネル上で動作させるために）セカンダリＬＯ信号ＬＯ２AとしてＬＯ２1を選択し得る。一方、マルチプレクサ４１８は、ワイヤレス通信デバイス４００が８０＋８０モードで動作すべきであるとき、（たとえば、セカンダリＴＲＸチェーン４１４を第２の８０ＭＨｚチャネル上で動作させるために）セカンダリＬＯ信号ＬＯ２AとしてＬＯ２2を選択し得る。いくつかの実施形態では、マルチプレクサ４１８は、ワイヤレス通信デバイス４００の動作モードを示すモード選択（Ｍ＿Ｓｅｌ）信号に応答し得る。
【００５２】
[0060]セカンダリＬＯ信号ＬＯ２Aは、選択されたチャネル上でワイヤレス信号をそれぞれ送信および／または受信するための、セカンダリＴＲＸチェーン４１４中のＴＸおよび／またはＲＸ回路（簡単のために図示せず）に与えられ得る。いくつかの実施形態では、周波数分周器４１６とＴＸ／ＲＸ回路との間の信号経路は、プライマリ周波数シンセサイザ４１１と周波数分周器４１６との間の信号経路よりも著しく短くなり得、周波数分周器４１７とＴＸ／ＲＸ回路との間の信号経路は、セカンダリ周波数シンセサイザ４１３と周波数分周器４１７との間の信号経路よりも著しく短くなり得る。これは、セカンダリＬＯ信号ＬＯ２Aならびに／またはＬＯ信号ＬＯ２1およびＬＯ２2に起因するＬＯリーケージを低減しおよび／または最小限に抑え得る。
【００５３】
[0061]第２のワイヤレス無線機４２０は、プライマリ周波数シンセサイザ４２１と、プライマリＴＲＸチェーン４２２と、セカンダリ周波数シンセサイザ４２３と、セカンダリＴＲＸチェーン４２４とを含む。例示的な実施形態では、プライマリＴＲＸチェーン４２２は、第１のワイヤレス無線機４１０のプライマリＴＲＸチェーン４１２と同じチャネル（たとえば、第１の８０ＭＨｚチャネル）上で動作し得、セカンダリＴＲＸチェーン４２４は、第１のワイヤレス無線機４１０のプライマリＴＲＸチェーン４１２（たとえば、第１の８０ＭＨｚチャネル）またはセカンダリＴＲＸチェーン４１４（たとえば、第２の８０ＭＨｚチャネル）のいずれかと同じチャネル上で動作し得る。いくつかの実施形態では、第２のワイヤレス無線機４２０は、追加のトランシーバチェーン（簡単のために図示せず）を含み得る。
【００５４】
[0062]プライマリ周波数シンセサイザ４２１は、第１のキャリア周波数よりも著しく大きい（たとえば、それの倍数）発振周波数を有する第３のタイミング信号ＴＳ３を生成する。セカンダリ周波数シンセサイザ４２３は、第２のキャリア周波数よりも著しく大きい（たとえば、それの倍数）発振周波数を有する第４のタイミング信号ＴＳ４を生成する。したがって、第３のタイミング信号ＴＳ３および第４のタイミング信号ＴＳ４は、それぞれ、第１のタイミング信号ＴＳ１および第２のタイミング信号ＴＳ２と同じ周波数を有し得る。第３のタイミング信号ＴＳ３は、プライマリＴＲＸチェーン４２２とセカンダリＴＲＸチェーン４２４とに与えられるが、第４のタイミング信号ＴＳ４はセカンダリＴＲＸチェーン４２４のみに与えられる。
【００５５】
[0063]プライマリＴＲＸチェーン４２２は、第３のタイミング信号ＴＳ３に基づいて、第２のワイヤレス無線機４２０のためのプライマリＬＯ信号ＬＯ１Bを生成するための周波数分周器４２５を含む。たとえば、周波数分周器４２５は、第３のタイミング信号ＴＳ３の周波数を第１のキャリア周波数に低減し得る。得られた周波数低減されたタイミング信号は、周波数分周器４２５によってプライマリＬＯ信号ＬＯ１Bとして出力され得る。より詳細には、第２のワイヤレス無線機４２０のプライマリＬＯ信号ＬＯ１Bは、第１のワイヤレス無線機４１０のプライマリＬＯ信号ＬＯ１Aと同じ周波数を有し得る。したがって、プライマリＬＯ信号ＬＯ１Bは、第１の８０ＭＨｚチャネル上でワイヤレス信号をそれぞれ送信および／または受信するための、プライマリＴＲＸチェーン４２２中のＴＸおよび／またはＲＸ回路（簡単のために図示せず）に与えられ得る。いくつかの実施形態では、周波数分周器４２５とＴＸ／ＲＸ回路との間の信号経路は、プライマリ周波数シンセサイザ４２１と周波数分周器４２５との間の信号経路よりも著しく短くなり得る。これは、プライマリＬＯ信号ＬＯ１Bに起因するＬＯリーケージを低減しおよび／または最小限に抑え得る。
【００５６】
[0064]セカンダリＴＲＸチェーン４２４は、それぞれのＬＯ信号ＬＯ２3とＬＯ信号ＬＯ２4とを生成するための周波数分周器４２６と周波数分周器４２７とを含み、ＬＯ信号ＬＯ２3またはＬＯ信号ＬＯ２4のうちの１つを第２のワイヤレス無線機４２０のためのセカンダリＬＯ信号ＬＯ２Bとして選択的に出力するためのマルチプレクサ４２８を含む。周波数分周器４２６は、たとえば、第３のタイミング信号ＴＳ３の周波数を第１のキャリア周波数に低減することによって、第３のタイミング信号ＴＳ３に基づいてＬＯ信号ＬＯ２3を生成し得る。周波数分周器４２７は、たとえば、第４のタイミング信号ＴＳ４の周波数を第２のキャリア周波数に低減することによって、第４のタイミング信号ＴＳ４に基づいてＬＯ信号ＬＯ２4を生成し得る。したがって、第２のワイヤレス無線機４２０のＬＯ信号ＬＯ２4は、第１のワイヤレス無線機４１０のＬＯ信号ＬＯ２2と同じ周波数を有し得る。
【００５７】
[0065]マルチプレクサ４２８は、ワイヤレス通信デバイス４００および／またはワイヤレス無線機４２０の動作モードに少なくとも部分的に基づいて、セカンダリＬＯ信号ＬＯ２Bとして出力のためにＬＯ信号ＬＯ２3またはＬＯ信号ＬＯ２4のうちの１つを選択し得る。たとえば、マルチプレクサ４２８は、ワイヤレス通信デバイス４００が単一８０ＭＨｚチャネル帯域幅モードで動作すべきであるとき、（たとえば、セカンダリＴＲＸチェーン４２４を第１の８０ＭＨｚチャネル上で動作させるために）セカンダリＬＯ信号ＬＯ２BとしてＬＯ２3を選択し得る。一方、マルチプレクサ４２８は、ワイヤレス通信デバイス４００が８０＋８０モードで動作すべきであるとき、（たとえば、セカンダリＴＲＸチェーン４２４を第２の８０ＭＨｚチャネル上で動作させるために）セカンダリＬＯ信号ＬＯ２BとしてＬＯ２4を選択し得る。いくつかの実施形態では、マルチプレクサ４２８はまた、Ｍ＿Ｓｅｌ信号に応答し得る。
【００５８】
[0066]セカンダリＬＯ信号ＬＯ２Bは、選択されたチャネル上でワイヤレス信号をそれぞれ送信および／または受信するための、セカンダリＴＲＸチェーン４２４中のＴＸおよび／またはＲＸ回路（簡単のために図示せず）に与えられ得る。いくつかの実施形態では、周波数分周器４２６とＴＸ／ＲＸ回路との間の信号経路は、プライマリ周波数シンセサイザ４２１と周波数分周器４２６との間の信号経路よりも著しく短くなり得、周波数分周器４２７とＴＸ／ＲＸ回路との間の信号経路は、セカンダリ周波数シンセサイザ４２３と周波数分周器４２７との間の信号経路よりも著しく短くなり得る。これは、セカンダリＬＯ信号ＬＯ２Bならびに／またはＬＯ信号ＬＯ２3およびＬＯ２4に起因するＬＯリーケージを低減しおよび／または最小限に抑え得る。
【００５９】
[0067]例示的な実施形態では、ワイヤレス通信デバイス４００は、ビームフォーミングされた信号を生成するために、複数のワイヤレス無線機４１０および４２０からのトランシーバチェーンを利用し得る。たとえば、いくつかの実施形態では、第１のワイヤレス無線機４１０のプライマリＴＲＸチェーン４１２および第２のワイヤレス無線機４２０のプライマリＴＲＸチェーン４２２は、ビームフォーミングされた信号を第１の８０ＭＨｚチャネル上で同時に生成し得る。他の実施形態では、第１のワイヤレス無線機４１０のセカンダリＴＲＸチェーン４１４および第２のワイヤレス無線機４２０のセカンダリＴＲＸチェーン４２４は、ビームフォーミングされた信号を第２の８０ＭＨｚチャネル上で同時に生成し得る。またさらに、いくつかの実施形態では、ワイヤレス通信デバイス４００のＴＲＸチェーン４１２、４１４、４２２、および４２４は、（より集束させられた）ビームフォーミングされた信号を第１の８０ＭＨｚチャネル上で同時に生成するために使用され得る。
【００６０】
[0068]したがって、例示的な実施形態では、周波数分周器４１５〜４１７および４２５〜４２７は、ワイヤレス通信デバイス４００の動作モードにかかわらず、ＬＯ信号ＬＯ１A、ＬＯ１B、およびＬＯ２1〜ＬＯ２4を一定または永続的状態に維持するために連続的にアクティブのままであり得る。その結果、ＬＯ信号ＬＯ１A、ＬＯ２1、ＬＯ１B、およびＬＯ２3は、周波数分周器４１５、４１６、４２５、および４２６がアクティブのままである持続時間の間、位相同期を維持する。同様に、ＬＯ信号ＬＯ２2およびＬＯ２4は、周波数分周器４１７および４２７がアクティブのままである持続時間の間、位相同期を維持する。したがって、ワイヤレス通信デバイス４００は、任意の数のトランシーバチェーンにわたってならびに／あるいは複数のワイヤレス無線機および／またはチップにわたって、パケットごと切替えベースで送信ビームフォーミングを実施し得る。
【００６１】
[0069]さらに、いくつかの実施形態では、周波数シンセサイザ４１１、４１３、４２１、および４２３は、共有されたクロック信号生成器４３０によって生成された同じ基準クロック（Ｒ＿Ｃｌｋ）信号に位相がロックされ得る。たとえば、周波数シンセサイザ４１１、４１３、４２１、および４２３は、より低い周波数の基準信号（たとえば、Ｒ＿Ｃｌｋ）に基づいて高い周波数のタイミング信号（たとえば、ＴＳ１〜ＴＳ４）を生成し得る。クロック信号生成器４３０は、低い発振周波数において極めて正確なおよび信頼できるＲ＿Ｃｌｋ信号を生成する、水晶発振器を備え得る。例示的な実施形態では、Ｒ＿Ｃｌｋ信号の周波数は、第１および第２のキャリア周波数よりも実質的に低くなり（たとえば、少なくともそれの１／２）、したがって、ワイヤレス無線機４１０およびワイヤレス無線機４２０にわたるＬＯリーケージを低減しおよび／または最小限に抑え得る。
【００６２】
[0070]図４の例では、ＬＯ信号ＬＯ１A、ＬＯ２A、ＬＯ１B、およびＬＯ２Bは、それらのそれぞれのトランシーバチェーン４１２、４１４、４２２、および４２４中のＴＸ回路とＲＸ回路の両方に与えられ得る。しかしながら、（たとえば、ＴＸ回路だけにとは対照的に）ＴＸ回路とＲＸ回路の両方に同じＬＯ信号を配信することは、ＬＯ信号の各々のためにより長い信号経路を必要とし得、それは、より大きいＬＯリーケージを生じ得る。いくつかの実施形態では、ワイヤレス通信デバイス４００のＴＸおよびＲＸ回路のための専用の（たとえば、別の）ＬＯ信号を生成するために、トランシーバチェーン４１２、４１４、４２２、および４２４の各々中に別の周波数分周器を与えることによって、ＬＯリーケージがさらに低減され得る。
【００６３】
[0071]図５は、他の実施形態による、複数のワイヤレス無線機をもつワイヤレス通信デバイス５００のブロック図を示す。ワイヤレス通信デバイス５００は、ワイヤレス媒体上でデータ信号を送信および受信するためにワイヤレスデバイス（たとえば、図２のＡＰ２１０ならびに／または局ＳＴＡ１およびＳＴＡ２など）内に実装され得る。ワイヤレス通信デバイス５００は、図４に関して上記で説明されたワイヤレス通信デバイス４００のより詳細なまたは代替の実施形態であり得る。詳細には、ワイヤレス通信デバイス５００は、第１のワイヤレス無線機５１０と第２のワイヤレス無線機５２０とを含む。例示的な実施形態では、第１のワイヤレス無線機５１０は、第１のチップ上にパッケージングされるかまたは与えられ得、第２のワイヤレス無線機５２０は、第１のチップとは別および別個である（たとえば、物理的に分離された）第２のチップ上にパッケージングされるかまたは与えられ得る。
【００６４】
[0072]第１のワイヤレス無線機５１０は、プライマリ周波数シンセサイザ５１１と、プライマリＴＲＸチェーン５１２と、セカンダリ周波数シンセサイザ５１３と、セカンダリＴＲＸチェーン５１４とを含む。周波数シンセサイザ５１１および周波数シンセサイザ５１３は、それぞれ、（たとえば、図４に関して上記で説明された）ワイヤレス通信デバイス４００の周波数シンセサイザ４１１および周波数シンセサイザ４１３と実質的に同じ様式で動作し得る。たとえば、プライマリ周波数シンセサイザ５１１は、第１のキャリア周波数よりも著しく大きい発振周波数を有する第１のタイミング信号ＴＳ１を生成し得、セカンダリ周波数シンセサイザ５１３は、第２のキャリア周波数よりも著しく大きい発振周波数を有する第２のタイミング信号ＴＳ２を生成し得る。例示的な実施形態では、プライマリＴＲＸチェーン５１２は５ＧＨｚ周波数帯域の第１の８０ＭＨｚチャネル上で動作し得、セカンダリＴＲＸチェーン５１４は、（たとえば、ワイヤレス無線機５１０および／またはワイヤレス通信デバイス５００の動作モードに依存して）５ＧＨｚ周波数帯域の第１の８０ＭＨｚチャネル上または第２の８０ＭＨｚチャネル上で動作し得る。いくつかの実施形態では、第１のワイヤレス無線機５１０は、追加のトランシーバチェーン（簡単のため図示せず）を含み得る。
【００６５】
[0073]プライマリＴＲＸチェーン５１２は、プライマリＴＲＸチェーン５１２中のそれぞれのＴＸ回路およびＲＸ回路（簡単のために図示せず）によって使用され得るそれぞれのプライマリＬＯ信号ＬＯ１A（ＴＸ）およびプライマリＬＯ信号ＬＯ１A（ＲＸ）を生成するための周波数分周器５１５（Ａ）および周波数分周器５１５（Ｂ）を含む。周波数分周器５１５（Ａ）および周波数分周器５１５（Ｂ）の各々は、ワイヤレス通信デバイス４００の周波数分周器４１５の実施形態であり得る。したがって、周波数分周器５１５（Ａ）および周波数分周器５１５（Ｂ）は、第１のタイミング信号ＴＳ１に基づいて、それぞれ、（同一でないとしても）実質的に同様のＬＯ信号ＬＯ１A（ＴＸ）およびＬＯ信号ＬＯ１A（ＲＸ）を生成し得る。いくつかの実施形態では、上側ＬＯ信号ＬＯ１A（ＴＸ）は、第１の８０ＭＨｚチャネル上でワイヤレス信号を送信するために使用され得、下側ＬＯ信号ＬＯ１A（ＲＸ）は、第１の８０ＭＨｚチャネルを介してワイヤレス信号を受信するために使用され得る。
【００６６】
[0074]プライマリＴＲＸチェーン５１２のＴＸ経路およびＲＸ経路の各々にそれぞれ、専用のＬＯ信号ＬＯ１A（ＴＸ）およびＬＯ信号ＬＯ１A（ＲＸ）を与えることによって、周波数分周器５１５（Ａ）および周波数分周器５１５（Ｂ）は、（たとえば、周波数分周器４１５と比較して）プライマリＬＯ信号ＬＯ１Aを受信するＴＸ回路およびＲＸ回路のより近くに配置され得る。上記で説明されたように、プライマリＬＯ信号ＬＯ１A（ＴＸ）およびＬＯ１A（ＲＸ）のための信号経路を短くすることは、プライマリＴＲＸチェーン５１２におけるＬＯリーケージをさらに低減し得る。
【００６７】
[0075]セカンダリＴＲＸチェーン５１４は、（たとえば、それぞれ、タイミング信号ＴＳ１とタイミング信号ＴＳ２とに基づいて）それぞれのＬＯ信号ＬＯ２1とＬＯ信号ＬＯ２2とを生成するための周波数分周器５１６（Ａ）と周波数分周器５１７（Ａ）との第１のペアを含み、セカンダリＬＯ信号ＬＯ２A（ＴＸ）として（たとえば、Ｍ＿Ｓｅｌ信号に応答して）ＬＯ信号ＬＯ２1またはＬＯ信号ＬＯ２2のうちの１つを選択的に出力するためのマルチプレクサ５１８を含む。セカンダリＴＲＸチェーン５１４は、（たとえば、それぞれ、タイミング信号ＴＳ１とタイミング信号ＴＳ２とに基づいて）それぞれのＬＯ信号ＬＯ２1とＬＯ信号ＬＯ２2とを生成するための周波数分周器５１６（Ｂ）と周波数分周器５１７（Ｂ）との第２のペアをさらに含み、セカンダリＬＯ信号ＬＯ２A（ＲＸ）として（たとえば、Ｍ＿Ｓｅｌ信号に応答して）ＬＯ信号ＬＯ２1またはＬＯ信号ＬＯ２2のうちの１つを選択的に出力するためのマルチプレクサ５１９を含む。上側ＬＯ信号ＬＯ２A（ＴＸ）は、セカンダリＴＲＸチェーン５１４のＴＸ回路（簡単のために図示せず）に与えられ得、下側ＬＯ信号ＬＯ２A（ＲＸ）は、セカンダリＴＲＸチェーン５１４のＲＸ回路（簡単のために図示せず）に与えられ得る。
【００６８】
[0076]周波数分周器５１６（Ａ）／５１７（Ａ）および周波数分周器５１６（Ｂ）／５１７（Ｂ）の各ペアは、ワイヤレス通信デバイス４００の周波数分周器ペア４１６／４１７の実施形態であり得る。さらに、マルチプレクサ５１８およびマルチプレクサ５１９の各々は、ワイヤレス通信デバイス４００のマルチプレクサ４１８の実施形態であり得る。したがって、セカンダリＬＯ信号ＬＯ２A（ＴＸ）およびセカンダリＬＯ信号ＬＯ２A（ＲＸ）は、互いに（同一でないとしても）実質的に同様であり得る。その上、セカンダリＴＲＸチェーン５１４のＴＸ経路およびＲＸ経路の各々にそれぞれ、専用のＬＯ信号ＬＯ２A（ＴＸ）およびＬＯ信号ＬＯ２A（ＲＸ）を与えることによって、（たとえば、周波数分周器４１６および周波数分周器４１７と比較して）周波数分周器５１６（Ａ）および周波数分周器５１７（Ａ）は、セカンダリＬＯ信号ＬＯ２A（ＴＸ）を受信するＴＸ回路のより近くに配置され得、周波数分周器５１６（Ｂ）および周波数分周器５１７（Ｂ）は、セカンダリＬＯ信号ＬＯ２A（ＲＸ）を受信するＲＸ回路のより近くに配置され得る。上記で説明されたように、セカンダリＬＯ信号ＬＯ２A（ＴＸ）およびＬＯ２A（ＲＸ）のための信号経路を短くすることは、セカンダリＴＲＸチェーン５１４におけるＬＯリーケージをさらに低減し得る。
【００６９】
[0077]第２のワイヤレス無線機５２０は、プライマリ周波数シンセサイザ５２１と、プライマリＴＲＸチェーン５２２と、セカンダリ周波数シンセサイザ５２３と、セカンダリＴＲＸチェーン５２４とを含む。周波数シンセサイザ５２１および周波数シンセサイザ５２３は、（たとえば、図４に関して上記で説明された）ワイヤレス通信デバイス４００の周波数シンセサイザ４２１および周波数シンセサイザ４２３と実質的に同じ様式で動作し得る。たとえば、プライマリ周波数シンセサイザ５２１は、第１のキャリア周波数よりも著しく大きい発振周波数を有する第３のタイミング信号ＴＳ３を生成し得、セカンダリ周波数シンセサイザ５２３は、第２のキャリア周波数よりも著しく大きい発振周波数を有する第４のタイミング信号ＴＳ４を生成し得る。したがって、プライマリＴＲＸチェーン５２２は５ＧＨｚ周波数帯域の第１の８０ＭＨｚチャネル上で動作し得、セカンダリＴＲＸチェーン５２４は、（たとえば、ワイヤレス無線機５２０および／またはワイヤレス通信デバイス５００の動作モードに依存して）第１の８０ＭＨｚチャネル上または第２の８０ＭＨｚチャネル上で動作し得る。いくつかの実施形態では、第２のワイヤレス無線機５２０は、追加のトランシーバチェーン（簡単のため図示せず）を含み得る。
【００７０】
[0078]プライマリＴＲＸチェーン５２２は、プライマリＴＲＸチェーン５２２中で、それぞれ、ＴＸ回路およびＲＸ回路（簡単のために図示せず）によって使用され得るそれぞれのプライマリＬＯ信号ＬＯ１B（ＴＸ）およびプライマリＬＯ信号ＬＯ１B（ＲＸ）を生成するための周波数分周器５２５（Ａ）および周波数分周器５２５（Ｂ）を含む。周波数分周器５２５（Ａ）および周波数分周器５２５（Ｂ）の各々は、ワイヤレス通信デバイス４００の周波数分周器４２５の実施形態であり得る。したがって、周波数分周器５２５（Ａ）および周波数分周器５２５（Ｂ）は、第３のタイミング信号ＴＳ３に基づいて、それぞれ、（同一でないとしても）実質的に同様のＬＯ信号ＬＯ１B（ＴＸ）およびＬＯ信号ＬＯ１B（ＲＸ）を生成し得る。上記で説明されたように、周波数分周器５２５（Ａ）および５２５（Ｂ）は、（たとえば、周波数分周器４２５と比較して）プライマリＬＯ信号ＬＯ１Bを受信するＴＸ回路およびＲＸ回路のより近くに配置され、したがって、プライマリＴＲＸチェーン５２２におけるＬＯリーケージを低減し得る。いくつかの実施形態では、上側ＬＯ信号ＬＯ１B（ＴＸ）は、第１の８０ＭＨｚチャネル上でワイヤレス信号を送信するために使用され得、下側ＬＯ信号ＬＯ１B（ＲＸ）は、第１の８０ＭＨｚチャネルを介してワイヤレス信号を受信するために使用され得る。
【００７１】
[0079]セカンダリＴＲＸチェーン５２４は、（たとえば、それぞれ、タイミング信号ＴＳ３とタイミング信号ＴＳ４とに基づいて）それぞれのＬＯ信号ＬＯ２3とＬＯ信号ＬＯ２4とを生成するための周波数分周器５２６（Ａ）と周波数分周器５２７（Ａ）との第１のペアを含み、セカンダリＬＯ信号ＬＯ２B（ＴＸ）として（たとえば、Ｍ＿Ｓｅｌ信号に応答して）ＬＯ信号ＬＯ２3またはＬＯ信号ＬＯ２4のうちの１つを選択的に出力するためのマルチプレクサ５２８を含む。セカンダリＴＲＸチェーン５２４は、（たとえば、それぞれ、タイミング信号ＴＳ３とタイミング信号ＴＳ４とに基づいて）それぞれのＬＯ信号ＬＯ２3とＬＯ信号ＬＯ２4とを生成するための周波数分周器５２６（Ｂ）と周波数分周器５２７（Ｂ）との第２のペアをさらに含み、セカンダリＬＯ信号ＬＯ２B（ＲＸ）として（たとえば、Ｍ＿Ｓｅｌ信号に応答して）ＬＯ信号ＬＯ２3またはＬＯ信号ＬＯ２4のうちの１つを選択的に出力するためのマルチプレクサ５２９を含む。上側ＬＯ信号ＬＯ２B（ＴＸ）は、セカンダリＴＲＸチェーン５２４のＴＸ回路（簡単のために図示せず）に与えられ得、下側ＬＯ信号ＬＯ２B（ＲＸ）は、セカンダリＴＲＸチェーン５２４のＲＸ回路（簡単のために図示せず）に与えられ得る。
【００７２】
[0080]周波数分周器５２６（Ａ）／５２７（Ａ）および周波数分周器５２６（Ｂ）／５２７（Ｂ）の各ペアは、ワイヤレス通信デバイス４００の周波数分周器ペア４２６／４２７の実施形態であり得る。さらに、マルチプレクサ５２８およびマルチプレクサ５２９の各々は、ワイヤレス通信デバイス４００のマルチプレクサ４２８の実施形態であり得る。したがって、セカンダリＬＯ信号ＬＯ２B（ＴＸ）およびセカンダリＬＯ信号ＬＯ２B（ＲＸ）は、互いに（同一でないとしても）実質的に同様であり得る。その上、セカンダリＴＲＸチェーン５２４のＴＸ経路およびＲＸ経路の各々にそれぞれ、専用のＬＯ信号ＬＯ２B（ＴＸ）およびＬＯ信号ＬＯ２B（ＲＸ）を与えることによって、（たとえば、周波数分周器４２６および周波数分周器４２７と比較して）周波数分周器５２６（Ａ）および周波数分周器５２７（Ａ）は、セカンダリＬＯ信号ＬＯ２B（ＴＸ）を受信するＴＸ回路のより近くに配置され得、周波数分周器５２６（Ｂ）および周波数分周器５２７（Ｂ）は、セカンダリＬＯ信号ＬＯ２B（ＲＸ）を受信するＲＸ回路のより近くに配置され得る。上記で説明されたように、セカンダリＬＯ信号ＬＯ２B（ＴＸ）およびＬＯ２B（ＲＸ）のための信号経路を短くすることは、セカンダリＴＲＸチェーン５２４におけるＬＯリーケージをさらに低減し得る。
【００７３】
[0081]例示的な実施形態では、ワイヤレス通信デバイス５００は、ビームフォーミングされた信号を生成するために、複数のワイヤレス無線機５１０および５２０からのトランシーバチェーンを利用し得る。たとえば、いくつかの実施形態では、第１のワイヤレス無線機５１０のプライマリＴＲＸチェーン５１２および第２のワイヤレス無線機５２０のプライマリＴＲＸチェーン５２２は、ビームフォーミングされた信号を第１の８０ＭＨｚチャネル上で同時に生成し得る。他の実施形態では、第１のワイヤレス無線機５１０のセカンダリＴＲＸチェーン５１４および第２のワイヤレス無線機５２０のセカンダリＴＲＸチェーン５２４は、ビームフォーミングされた信号を第２の８０ＭＨｚチャネル上で同時に生成し得る。またさらに、いくつかの実施形態では、ワイヤレス通信デバイス５００のＴＲＸチェーン５１２、５１４、５２２、および５２４は、（より集束させられた）ビームフォーミングされた信号を第１の８０ＭＨｚチャネル上で同時に生成するために使用され得る。
【００７４】
[0082]したがって、例示的な実施形態では、周波数分周器５１５〜５１７および５２５〜５２７は、ワイヤレス通信デバイス５００の動作モードにかかわらず、ＬＯ信号間の一定の位相同期を維持するために連続的にアクティブのままであり得る。その上、周波数シンセサイザ５１１、５１３、５２１、および５２３は、共有されたクロック信号生成器（たとえば、図４のクロック生成器４３０）によって生成された同じ基準クロック（Ｒ＿Ｃｌｋ）信号に位相がロックされ得る。したがって、ワイヤレス通信デバイス５００は、任意の数のトランシーバチェーンにわたってならびに／あるいは複数のワイヤレス無線機および／またはチップにわたって、パケットごと切替えベースで送信ビームフォーミングを実施し得る。
【００７５】
[0083]図６は、例示的な実施形態による、ワイヤレスデバイス６００のブロック図を示す。ワイヤレスデバイス６００は、ワイヤレス無線機６１０と、プロセッサ６２０と、メモリ６３０と、いくつかのアンテナ６６０（１）〜６６０（ｎ）とを含む。例示的な実施形態では、ワイヤレス無線機６１０は、（たとえば、ＩＥＥＥ８０２．１１ａｃ仕様によって定義された）８０＋８０モードおよびＢＦモードで動作可能であり得る。ワイヤレス無線機６１０は、５ＧＨｚ周波数帯域の第１の８０ＭＨｚチャネルまたは第２の８０ＭＨｚチャネルのうちの少なくとも１つの上で動作可能であり得る複数のトランシーバチェーンＴＲＸ＿１〜ＴＲＸ＿Ｍを含む。いくつかの実施形態では、いくつかのトランシーバＴＲＸ＿１〜ＴＲＸ＿Ｍが、複数のワイヤレス無線機および／またはチップ上に設けられ得る。ワイヤレス無線機６１０は、直接的にまたはアンテナ選択回路（簡単のために図示せず）を通してのいずれかで、アンテナ６６０（１）〜６６０（ｎ）に結合され得る。本明細書での説明の目的で、ワイヤレス無線機６１０は、プロセッサ６２０に結合されるものとして図６に示されている。実際の実施形態では、ワイヤレス無線機６１０、プロセッサ６２０、および／またはメモリ６３０は、１つまたは複数のバス（簡単のために図示せず）を使用して互いに接続され得る。
【００７６】
[0084]メモリ６３０は、少なくとも以下のソフトウェア（ＳＷ）モジュールを記憶し得る非一時的コンピュータ可読媒体（たとえば、ＥＰＲＯＭ、ＥＥＰＲＯＭ、フラッシュメモリ、ハードドライブなど、１つまたは複数の不揮発性メモリ要素）を含み得る。  
・第１のキャリア周波数の倍数に等しい周波数を有する第１のタイミング信号を連続的にダウンコンバートすることによって、（たとえば、第１の８０ＭＨｚチャネルに対応する）第１のキャリア周波数において永続的ＬＯ信号を生成するためのプライマリＬＯ信号コンバージョンＳＷモジュール６３２、  
・第２のキャリア周波数の倍数に等しい周波数を有する第２のタイミング信号を連続的にダウンコンバートすることによって、（たとえば、第２の８０ＭＨｚチャネルに対応する）第２のキャリア周波数において永続的ＬＯ信号を生成するためのセカンダリＬＯ信号コンバージョンＳＷモジュール６３４、および  
・ワイヤレス無線機６１０の動作モード（たとえば、８０＋８０モードまたはＢＦモード）に少なくとも部分的に基づいて、トランシーバチェーンＴＲＸ＿１〜ＴＲＸ＿Ｍのうちの１つまたは複数において使用されるべき、第１のキャリア周波数のＬＯ信号または第２のキャリア周波数のＬＯ信号を選択するためのモード選択ＳＷモジュール６３６。  
各ソフトウェアモジュールは、プロセッサ６２０によって実行されたとき、対応する機能をワイヤレスデバイス６００（詳細には、ワイヤレス無線機６１０）に実施させる命令を含む。したがって、メモリ６３０の非一時的コンピュータ可読媒体は、図７に関して以下で説明される動作の全部または一部分を実施するための命令を含む。
【００７７】
[0085]ワイヤレス無線機６１０とメモリ６３０とに結合されるものとして図６の例に示されているプロセッサ６２０は、ワイヤレスデバイス６００に（たとえば、メモリ６３０内に）記憶された１つまたは複数のソフトウェアプログラムのスクリプトまたは命令を実行することが可能な任意の好適な１つまたは複数のプロセッサであり得る。たとえば、プロセッサ６２０は、第１のキャリア周波数の倍数に等しい周波数を有する第１のタイミング信号を連続的にダウンコンバートすることによって、（たとえば、第１の８０ＭＨｚチャネルに対応する）第１のキャリア周波数において永続的ＬＯ信号を生成するためのプライマリＬＯ信号コンバージョンＳＷモジュール６３２を実行し得る。プロセッサ６２０はまた、第２のキャリア周波数の倍数に等しい周波数を有する第２のタイミング信号を連続的にダウンコンバートすることによって、（たとえば、第２の８０ＭＨｚチャネルに対応する）第２のキャリア周波数において永続的ＬＯ信号を生成するためのセカンダリＬＯ信号コンバージョンＳＷモジュール６３４を実行し得る。またさらに、プロセッサ６２０は、ワイヤレス無線機６１０の動作モード（たとえば、８０＋８０モードまたはＢＦモード）に少なくとも部分的に基づいて、１つまたは複数のトランシーバチェーンＴＲＸ＿１〜ＴＲＸ＿Ｍで使用されるべき、第１のキャリア周波数のＬＯ信号または第２のキャリア周波数のＬＯ信号を選択するためのモード選択ＳＷモジュール６３６を実行し得る。
【００７８】
[0086]図７は、位相同期局部発振器（ＬＯ）信号を生成するための例示的な動作７００を示すフローチャートを示す。たとえば、動作７００は、図２のＡＰ２１０ならびに／または局ＳＴＡ１およびＳＴＡ２によって実装され得る。より詳細には、図６に関して、動作７００は、ワイヤレスデバイス６００のプロセッサ６２０によって実装され得る。
【００７９】
[0087]プロセッサ６２０は、第１のタイミング信号に基づいてワイヤレス無線機６１０の第１のトランシーバチェーン（たとえば、ＴＲＸ１）のための第１の永続的ＬＯ信号を生成する（７１０）ために、プライマリＬＯ信号コンバージョンＳＷモジュール６３２を実行し得る。第１のタイミング信号は、たとえば、（たとえば、図３〜図５に関して上記で説明されたように）第１のキャリア周波数におけるＬＯリーケージを低減および／または緩和するために、（たとえば、第１の８０ＭＨｚチャネルに関連する）第１のキャリア周波数よりも著しく高い周波数において生成され得る。したがって、プロセッサ６２０は、プライマリＬＯ信号コンバージョンＳＷモジュール６３２を実行する際に、第１のタイミング信号の周波数を第１のキャリア周波数に低減することによって、第１のタイミング信号を第１の永続的ＬＯ信号にコンバートし得る。
【００８０】
[0088]プロセッサ６２０は、第１のタイミング信号に基づいてワイヤレス無線機６１０の第２のトランシーバチェーン（たとえば、ＴＲＸ２）のための第２の永続的ＬＯ信号を生成する（７２０）ために、プライマリＬＯ信号コンバージョンＳＷモジュール６３２をさらに実行し得る。たとえば、プロセッサ６２０は、プライマリＬＯ信号コンバージョンＳＷモジュール６３２を実行する際に、第１のタイミング信号の周波数を第１のキャリア周波数に低減することによって、第１のタイミング信号を第２の永続的ＬＯ信号にコンバートし得る。例示的な実施形態では、プライマリＬＯ信号コンバージョンＳＷモジュール６３２は、プロセッサ６２０によって実行されたとき、（たとえば、ワイヤレス無線機６１０の動作モードにかかわらず）第１の永続的ＬＯ信号と第２の永続的ＬＯ信号との間の一定の位相関係を維持するために、第１の永続的ＬＯ信号と第２の永続的ＬＯ信号とを連続的に生成し得る。
【００８１】
[0089]プロセッサ６２０は、第２のタイミング信号に基づいてワイヤレス無線機６１０の第２のトランシーバチェーンのための第３の永続的ＬＯ信号を生成する（７３０）ために、セカンダリＬＯ信号コンバージョンＳＷモジュール６３４を実行し得る。第２のタイミング信号は、たとえば、（たとえば、図３〜図５に関して上記で説明されたように）第２のキャリア周波数におけるＬＯリーケージを低減および／または緩和するために、（たとえば、第２の８０ＭＨｚチャネルに関連する）第２のキャリア周波数よりも著しく高い周波数において生成され得る。したがって、プロセッサ６２０は、セカンダリＬＯ信号コンバージョンＳＷモジュール６３４を実行する際に、第２のタイミング信号の周波数を第２のキャリア周波数に低減することによって、第２のタイミング信号を第２の永続的ＬＯ信号にコンバートし得る。
【００８２】
[0090]最終的に、プロセッサ６２０は、ワイヤレス無線機６１０の動作モードに少なくとも部分的に基づいて第２のトランシーバチェーンにおいてワイヤレス信号を送信する（および／または受信する）ために使用されるべき第２の永続的ＬＯ信号または第３の永続的ＬＯ信号を選択する（７４０）ために、モード選択ＳＷモジュール６３６を実行し得る。たとえば、プロセッサ６２０は、モード選択ＳＷモジュール６３６を実行する際に、ワイヤレス無線機６１０および／またはワイヤレスデバイス６００が８０＋８０モードで動作すべきであるとき、（たとえば、第２のトランシーバチェーンを第２の８０ＭＨｚチャネル上で動作させるために）第３の永続的ＬＯ信号を選択し得る。一方、プロセッサ６２０は、モード選択ＳＷモジュール６３６を実行する際に、ワイヤレス無線機６１０および／またはワイヤレスデバイス６００がＢＦモードおよび／または単一８０ＭＨｚチャネル帯域幅モードで動作すべきであるとき、（たとえば、第２のトランシーバチェーンを第１の８０ＭＨｚチャネル上で動作させるために）第２の永続的ＬＯ信号を選択し得る。第１および第２の永続的ＬＯ信号は連続的に生成および／または維持されるので、ワイヤレス無線機６１０の動作モードにかかわらず、ワイヤレスデバイス６００は、パケットごと切替えベースで（たとえば、第１の８０ＭＨｚチャネル上で）高速ビームフォーミングを実施し得る。
【００８３】
[0091]図８は、一連の相互に関係する機能モジュールとして表される例示的なワイヤレスデバイスまたは装置８００を示す。第１のタイミング信号に基づいてワイヤレスデバイス８００の第１のトランシーバチェーンのための第１の永続的局部発振器（ＬＯ）信号を生成するためのモジュール８０１は、少なくともいくつかの態様では、たとえば、本明細書で説明されたプロセッサ（たとえば、プロセッサ６２０）ならびに／または本明細書で説明された周波数シンセサイザおよび周波数分周器（たとえば、周波数シンセサイザ４１１および周波数分周器４１５）に対応し得る。第１のタイミング信号に基づいてワイヤレスデバイス８００の第２のトランシーバチェーンのための第２の永続的ＬＯ信号を生成するためのモジュール８０２は、少なくともいくつかの態様では、たとえば、本明細書で説明されたプロセッサ（たとえば、プロセッサ６２０）ならびに／または本明細書で説明された周波数シンセサイザおよび周波数分周器（たとえば、周波数シンセサイザ４１１および周波数分周器４１６）に対応し得る。第２のタイミング信号に基づいて第２のトランシーバチェーンのための第３の永続的ＬＯ信号を生成するためのモジュール８０３は、少なくともいくつかの態様では、たとえば、本明細書で説明されたプロセッサ（たとえば、プロセッサ６２０）ならびに／または本明細書で説明された周波数シンセサイザおよび周波数分周器（たとえば、周波数シンセサイザ４１３および周波数分周器４１７）に対応し得る。第２のトランシーバチェーンを介してワイヤレス信号を送信するための第２の永続的ＬＯ信号または第３の永続的ＬＯ信号のいずれかを選択するためのモジュール８０４は、少なくともいくつかの態様では、たとえば、本明細書で説明されたプロセッサ（たとえば、プロセッサ６２０）および／または本明細書で説明されたマルチプレクサ（たとえば、マルチプレクサ４１８）に対応し得る。
【００８４】
[0092]第３のタイミング信号に基づいてワイヤレスデバイス８００の第３のトランシーバチェーンのための第４の永続的ＬＯ信号を生成するためのモジュール８０５は、少なくともいくつかの態様では、たとえば、本明細書で説明されたプロセッサ（たとえば、プロセッサ６２０）ならびに／または本明細書で説明された周波数シンセサイザおよび周波数分周器（たとえば、周波数シンセサイザ４２１および周波数分周器４２５）に対応し得る。第３のタイミング信号に基づいてワイヤレスデバイス８００の第４のトランシーバチェーンのための第５の永続的ＬＯ信号を生成するためのモジュール８０６は、少なくともいくつかの態様では、たとえば、本明細書で説明されたプロセッサ（たとえば、プロセッサ６２０）ならびに／または本明細書で説明された周波数シンセサイザおよび周波数分周器（たとえば、周波数シンセサイザ４２１および周波数分周器４２６）に対応し得る。第４のタイミング信号に基づいてワイヤレスデバイス８００の第４のトランシーバチェーンのための第６の永続的ＬＯ信号を生成するためのモジュール８０７は、少なくともいくつかの態様では、たとえば、本明細書で説明されたプロセッサ（たとえば、プロセッサ６２０）ならびに／または本明細書で説明された周波数シンセサイザおよび周波数分周器（たとえば、周波数シンセサイザ４２３および周波数分周器４２７）に対応し得る。第４のトランシーバチェーンを介してワイヤレス信号を送信するための第５の永続的ＬＯ信号または第６の永続的ＬＯ信号のいずれかを選択するためのモジュール８０８は、少なくともいくつかの態様では、たとえば、本明細書で説明されたプロセッサ（たとえば、プロセッサ６２０）および／または本明細書で説明されたマルチプレクサ（たとえば、マルチプレクサ４２８）に対応し得る。
【００８５】
[0093]図８のモジュールの機能は、本明細書の教示に一致する様々な方法で実装され得る。いくつかの設計では、これらのモジュールの機能は、１つまたは複数の電気的構成要素として実装され得る。いくつかの設計では、これらのブロックの機能は、１つまたは複数のプロセッサ構成要素を含む処理システムとして実装され得る。いくつかの設計では、これらのモジュールの機能は、たとえば、１つまたは複数の集積回路（たとえば、ＡＳＩＣ）の少なくとも一部分を使用して実装され得る。本明細書で説明されたように、集積回路は、プロセッサ、ソフトウェア、他の関係する構成要素、またはそれらの何らかの組合せを含み得る。したがって、異なるモジュールの機能は、たとえば、集積回路の異なるサブセットとして、ソフトウェアモジュールのセットの異なるサブセットとして、またはそれらの組合せとして実装され得る。また、（たとえば、集積回路のおよび／またはソフトウェアモジュールのセットの）所与のサブセットは、機能の少なくとも一部分を２つ以上のモジュールに与え得ることを諒解されよう。
【００８６】
[0094]さらに、図８によって表された構成要素および機能ならびに本明細書で説明された他の構成要素および機能は、任意の適切な手段を使用して実装され得る。そのような手段はまた、少なくとも部分的に、本明細書で教示された対応する構造を使用して実装され得る。たとえば、図８の構成要素「のためのモジュール」に関連して上記で説明された構成要素はまた、同様に指定された機能「のための手段」に対応し得る。したがって、いくつかの態様では、そのような手段のうちの１つまたは複数は、本明細書で教示するプロセッサ構成要素、集積回路、または他の好適な構造のうちの１つまたは複数を使用して実装され得る。
【００８７】
[0095]情報および信号は、多種多様な技術および技法のいずれかを使用して表され得ることを当業者は諒解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８８】
[0096]さらに、本明細書で開示された態様に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップが、上記では概してそれらの機能に関して説明された。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【００８９】
[0097]明細書で開示された態様に関して説明された方法、シーケンスまたはアルゴリズムは、ハードウェアで直接実施されるか、プロセッサによって実行されるソフトウェアモジュールで実施されるか、またはそれらの２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。
【００９０】
[0098]上記の明細書では、実施形態が、それの特定の例を参照しながら説明された。しかしながら、添付の特許請求の範囲に記載された本開示のより広い範囲から逸脱することなく、様々な改変および変更がそれに行われ得ることは明らかであろう。したがって、本明細書および図面は、限定的な意味ではなく例示的な意味で考慮されるべきである。
【要約】  専用局部発振器（ＬＯ）位相アラインメント回路なしに位相同期ＬＯ信号を生成する、ワイヤレス通信デバイス。ワイヤレス通信デバイスは、第１のタイミング信号を受信するための第１のトランシーバチェーンと、第１のタイミング信号および第２のタイミング信号を受信するための第２のトランシーバチェーンとを含む。第１のトランシーバチェーンは、第１のタイミング信号を第１のＬＯ信号にコンバートするための第１の周波数分周器を含む。第２のトランシーバチェーンは、第１のタイミング信号を第２のＬＯ信号にコンバートするための第２の周波数分周器と、第２のタイミング信号を第３のＬＯ信号にコンバートするための第３の周波数分周器と、ワイヤレス通信デバイスの動作モードに少なくとも部分的に基づいて、第２のトランシーバチェーンを介してワイヤレス信号を送信するための第２のＬＯ信号または第３のＬＯ信号のいずれかを選択するためのマルチプレクサとを含む。
【選択図】図３【図１】
0006396626.tif 000002
【図２】
0006396626.tif 000003
【図３】
0006396626.tif 000004
【図４】
0006396626.tif 000005
【図５】
0006396626.tif 000006
【図６】
0006396626.tif 000007
【図７】
0006396626.tif 000008
【図８】
0006396626.tif 000009